【事件の表示】
　特許第２８９９５７８号「遊技機」の請求項１に係る特許に対する特許異議の申立てについて、次のとおり決定する。
【結　論】
　訂正を認める。
　特許第２８９９５７８号の請求項１に係る特許を維持する。
【理　由】
（１）手続の経緯
　本件特許第２８９９５７８号発明は、平成２年１０月３０日に特許出願され、平成１１年３月１２日にその特許の設定登録がなされ、その後、河井清悦より特許異議の申立てがなされ、取消理由通知がなされ、その指定期間内である平成１２年１０月１０日に訂正請求がなされたものである。
（２）訂正の適否についての判断
ア・訂正の内容
訂正事項ａ
　明細書の特許請求の範囲の請求項１に係る発明を、
「電気的駆動源の作用により所要数の球を排出可能な球排出装置と、
　上記球排出装置より排出される球を所定数宛検出するための排出状態検出手段と、
　所定の球排出指令信号に基づいて上記球排出装置の制御を行う排出制御回路とを備えた遊技機において、
　上記排出制御回路は、外部からのノイズがＩＣ部品等に影響を及ぼすことを防止してなり、
　上記排出制御回路は、上記球排出装置が作動した際に上記排出状態検出手段から順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定するようにしたことを特徴とする遊技機」
と訂正する。
訂正事項ｂ
　明細書の段落００１１を
「【課題を解決するための手段】
この発明は、電気的駆動源の作用により所要数の球を排出可能な球排出装置（例えば、賞品球排出装置１６）と、上記球排出装置より排出される球を所定数宛検出するための排出状態検出手段（例えば、排出センサ７４）と、所定の球排出指令信号に基づいて上記球排出装置の制御を行う排出制御回路（例えば、制御装置２００）とを備えた遊技機において、上記排出制御回路は、外部からのノイズがＩＣ部品等に影響を及ぼすことを防止してなり、上記排出制御回路は、上記球排出装置が作動した際に上記排出状態検出手段から順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定するようにして構成した。」
と訂正する。
イ・訂正の目的の適否、新規事項の有無及び拡張・変更の存否
　上記訂正事項ａは、排出制御回路を限定するものであるから、特許請求の範囲の減縮に該当し、訂正事項ｂは、該訂正に伴って、明細書の発明の詳細な説明を訂正するものであるので、明りょうでない記載の釈明に相当する。そして、上記訂正事項ａ、ｂは新規事項の追加に該当せず、実質的に特許請求の範囲を拡張又は変更するものではない。
ウ・独立特許要件の判断
（引用刊行物）
　訂正明細書の請求項１に係る発明（以下、「本件請求項１に係る発明」という）に対して、当審が通知した取消理由で引用した刊行物１（特開平２−７１７７９号公報）には、
「ソレノイド２１の作用により所定数の球を排出可能な球排出装置２０と、
　上記球排出装置２０より排出される球を所定数宛検出するための透過型光センサからなる排出球検出器２５と、
　所定の球排出指令信号に基づいて上記球排出装置２０の制御を行う制御装置２００とを備えた遊技機」を構成とする発明が、
同じく刊行物２（特開昭６４−４３２８６号公報）には、
「排出される球を所定数宛検出するための球検出器１１を備えた遊技機において、
　上記球検出器１１は、例えば入賞球があった際に上記球検出器１１の受光素子２１から順次受光され変換された各々の電気信号パルスに係わる「Ｈ」又は「Ｌ」を、発振器３９からのパルスと同期して連続した３パルスが有る場合に「Ｈ」、連続した３パルスが無い場合に「Ｌ」と判断し外部光によるミス検出の無い電気信号パルスとして確定するようにした遊技機」を構成とする発明が、
それぞれ記載されているものと認められる。
（対比・判断）
　本件請求項１に係る発明（前者）と引用刊行物１に記載された発明（後者）とを対比すると、
後者の
「ソレノイド２１」、「透過型光センサからなる排出球検出器２５」及び「制御装置２００」
がそれぞれの機能に照らし、それぞれ
前者の
「電気的駆動源」、「排出状態検出手段」及び「排出制御回路」
に相当するものと認められるから、
両者は、
「電気的駆動源の作用により所定数の球を排出可能な球排出装置と、
　上記球排出装置より排出される球を所定数宛検出するための排出状態検出手段と、
　所定の球排出指令信号に基づいて上記球排出装置の制御を行う排出制御回路とを備えた遊技機」である、
点において一致し、
排出制御回路が、
前者は、外部からのノイズがＩＣ部品等に影響を及ぼすことを防止してなり、球排出装置が作動した際に排出状態検出手段から順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定する、
のに対して、
後者は、かかる構成を備えていない、
点において相違するものと認められる。
　相違点についてみるに、
引用刊行物２に記載された発明の
「球検出器１１、球検出器１１の受光素子２１」、「受光され変換された」、「電気信号パルス」、「「Ｈ」又は「Ｌ」」、「発振器３９からのパルスと同期して」、「連続した３パルスが有る場合に「Ｈ」、連続した３パルスが無い場合に「Ｌ」と判断し」及び「外部光によるミス検出の無い」
がそれぞれの機能に照らし、それぞれ
前者の
「排出状態検出手段」、「受信した」、「検出信号」、「予め定められた所定のレベル状態」、「所定間隔で発生する基準信号に基づいて」、「複数回判定し、その複数回の判定結果が上記所定レベル状態であることを条件に」及び「正規な」
に相当するものと認められるから、
引用刊行物２に記載された発明には、
「排出状態検出手段は、例えば入賞球があった際に上記排出状態検出手段が順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定する」という構成が備わっているものと認められる。
　すなわち、引用例２に記載された発明には、（ａ）「外部からのノイズがＩＣ部品等に影響を及ぼすことを防止してな」る点、（ｂ）「正規な検出信号として確定する」機能が「排出制御回路」にではなく「排出状態検出手段」自体に備わっている点、（ｃ）「排出状態検出手段」が「例えば入賞球」を検出する点、の３点を除き、上記相違点の前者の構成が備わっているものと認められる。
　そこで、検討するに、
（ｃ）の点を、「排出状態検出手段」が「球排出装置」の球を検出するように変更することは、引用例２に記載された発明が「例えば入賞球」と規定している以上、必要に応じて適宜変更し得る単なる設計事項にすぎないと認められるとしても、
引用例２に記載された発明には（ａ）の点が無く、又、「正規な検出信号として確定する」機能を「排出制御回路」の方に備えることは、前者が「ノイズなどの誤信号に影響されることなく賞品球を正確に検出でき、正確な賞品球の排出を的確に行うことができる」という効果を奏する上での必須の構成要件となるものと認められるから、（ｂ）の点が有るからといって、「正規な検出信号として確定する」機能を「排出制御回路」の方に備えることが容易に導き出せる事項であるとは到底いえない。
　したがって、本件請求項１に係る発明は、刊行物１及び２に記載された各発明に基づいて容易に発明をすることができたものということはできないから、特許出願の際独立して特許を受けることができるものである。
エ・むすび
　以上のとおりであるから、上記訂正請求は、平成１１年改正前の特許法第１２０条の４第３項で準用する平成６年法律第１１６号による改正前の特許法第１２６条第１項ただし書、第２項及び第３項の規定に適合するので、当該訂正を認める。
（３）特許異議申立てについての判断
ア・申立ての理由の概要
　申立人河井清悦は、
甲第１号証（特開昭５９−２０３５８１号公報）、
甲第２号証（特開平２−７１７７９号公報）、
甲第３号証（特開昭６４−４３２８６号公報）、
甲第４号証（特開昭６３−１０２７８３号公報）
及び
甲第５号証（特願平１−３３４９０５号（特開平３−１９５５８５号）の願書に最初に添付した明細書又は図面）
を引用し、
請求項１に係る発明は、
甲第１号証ないし甲第４号証に記載された各発明に基づいて当業者が容易に発明をすることができたものであるから、その特許は、特許法第２９条第２項の規定に違反してなされたものであり、
又、
甲第５号証に記載された発明と同一であるから、その特許は、特許法第２９条の２第１項の規定に違反してなされたものである旨主張している。
イ・特許法第２９条第２項違反について
　本件請求項１に係る発明は、上記（２）ウで示したように、取消理由通知で示した刊行物１（甲第２号証）及び刊行物２（甲第３号証）に記載された各発明に基づいて容易に発明をすることができたものということはできない。
　又、甲第１号証には、
「パルスモータ４１の作用により所要数の球を排出可能な賞品球排出装置４０と、
　上記賞品球排出装置４０より排出される球を所定数宛検出するためのセンサ４５ａ〜４５ｄと、
　駆動指令信号に基づいて上記賞品球排出装置４０の制御を行う制御装置５０とを備えた遊技機」を構成とする発明が、
甲第４号証には、
「ソレノイド２８の作用により所要数の球を排出可能な球排出装置４と、
　上記球排出装置４より排出される球を所定数宛検出するための球通過検出部３０と、
　所定の電気的制御装置からの信号に基づいて上記球排出装置４の制御を行う電気的制御装置とを備えたパチンコ機」を構成とする発明が、
それぞれ記載されているものと認められる。
　本件請求項１に係る発明（前者）と甲第１号証及び甲第４号証に記載された各発明とを対比すると、
甲第１号証に記載された発明の
「パルスモータ４１」、「賞品球排出装置４０」、「センサ４５ａ〜４５ｄ」、「駆動指令信号」及び「制御装置５０」
がそれぞれの機能に照らし、それぞれ
前者の
「電気的駆動源」、「球排出装置」、「排出状態検出手段」、「所定の球排出指令信号」及び「排出制御回路」
に相当するものと認められ、
又、
甲第４号証に記載された発明の
「ソレノイド２８」、「球通過検出部３０」、「電気的制御装置からの信号」、「電気的制御装置」及び「パチンコ機」
がそれぞれの機能に照らし、それぞれ
前者の
「電気的駆動源」、「排出状態検出手段」、「球排出指令信号」、「排出制御回路」及び「遊技機」
に相当するものと認められるものの、
甲第１号証及び甲第４号証に記載された各発明には、やはり、上記（２）ウで示した、
前者の必須の構成要件である、
「排出制御回路」が「外部からのノイズがＩＣ部品等に影響を及ぼすことを防止してな」る点
及び
「正規な検出信号として確定する」機能が「排出制御回路」に備わっている点
が備わっていないから、前者は、甲第１号証及び甲第４号証に記載された各発明に基づいて容易に発明をすることができたものということはできない。
　したがって、本件請求項１に係る発明は、甲第１号証ないし甲第４号証に記載された各発明に基づいて容易に発明をすることができたものということはできない。
ウ・特許法第２９条の２第１項違反について
　本件請求項１に係る発明の出願の時において、本件請求項１に係る発明の出願人と甲第５号証に記載された発明の出願人とは、同一の者であるから、本件請求項１に係る発明の特許が、甲第５号証に記載された発明の存在により、特許法第２９条の２第１項の規定違反に該当することはないというべきである。
　しかも、本件請求項１に係る発明と甲第５号証の特許請求の範囲に記載された発明とが同一であるとも認められない（特許法第３９条第１項の規定違反に該当するものとも認められない）。
　又、他に本件請求項１に係る発明の特許を取り消すべき理由を発見しない。
　よって、結論のとおり決定する。
【異議決定日】
平成１３年２月２６日（２００１．２．２６）
【訂正の要旨】
訂正の要旨
訂正事項ａ
　明細書の特許請求の範囲の請求項１に係る発明を、特許請求の範囲の減縮を目的として、
「電気的駆動源の作用により所要数の球を排出可能な球排出装置と、
　上記球排出装置より排出される球を所定数宛検出するための排出状態検出手段と、
　所定の球排出指令信号に基づいて上記球排出装置の制御を行う排出制御回路とを備えた遊技機において、
　上記排出制御回路は、外部からのノイズがＩＣ部品等に影響を及ぼすことを防止してなり、
　上記排出制御回路は、上記球排出装置が作動した際に上記排出状態検出手段から順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定するようにしたことを特徴とする遊技機」
と訂正する。
訂正事項ｂ
　明細書の段落００１１を、明りょうでない記載の釈明を目的として、
「【課題を解決するための手段】
この発明は、電気的駆動源の作用により所要数の球を排出可能な球排出装置（例えば、賞品球排出装置１６）と、上記球排出装置より排出される球を所定数宛検出するための排出状態検出手段（例えば、排出センサ７４）と、所定の球排出指令信号に基づいて上記球排出装置の制御を行う排出制御回路（例えば、制御装置２００）とを備えた遊技機において、上記排出制御回路は、外部からのノイズがＩＣ部品等に影響を及ぼすことを防止してなり、上記排出制御回路は、上記球排出装置が作動した際に上記排出状態検出手段から順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定するようにして構成した。」
と訂正する。
（５４）【発明の名称】
遊技機
（５７）【特許請求の範囲】
　電気的駆動源の作用により所要数の球を排出可能な球排出装置と、
　上記球排出装置より排出される球を所定数宛検出するための排出状態検出手段と、
　所定の球排出指令信号に基づいて上記球排出装置の制御を行う排出制御回路とを備えた遊技機において、
　上記排出制御回路は、外部からのノイズがＩＣ部品等に影響を及ぼすことを防止してなり、
　上記排出制御回路は、上記球排出装置が作動した際に上記排出状態検出手段から順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定するようにしたことを特徴とする遊技機。
【発明の詳細な説明】
　　　【０００１】
　　【発明の属する技術分野】
　この発明は、遊技機に関し、特に検出器の検出方法に関する。
　　　【０００２】
　　【従来の技術】
　最近の遊技機としてのパチンコ機は、遊技の条件によって入賞率の大きい特別遊技等を発生し、遊技者に多くの賞品球をもたらす変動入賞装置を有するものが多くなっている。
　　　【０００３】
　この種のパチンコ機は、特別遊技が発生すると次々に入賞球を生じ、この入賞球に応じ連続して多量に賞品球を排出することになる。そこで、多量の入賞球ならびに賞品球を高速に処理する装置として、従来型の機械式に代わって電子制御式のものが提案されている。
　　　【０００４】
　例えば、賞球処理の高速化を図るために、入賞球ならびに賞品球を電気的なセンサを用いて検出すると共に、入賞球の処理通路と賞品球の排出通路にそれぞれ通路内に進入可能な流下阻止部材（ストッパ部材）とその電気的駆動源を設け、センサの検出に基づいて流下阻止部材を進入、後退させることで、賞球処理を行うことが考えられている。
　　　【０００５】
　こうした電子制御式のものは、賞品球の排出スピードが速いことはもちろん、従来の入賞球の自重などを利用した機械式のものと比べて構造が簡単になり、さらには賞球数の制御もしやすいという利点がある。
　　　【０００６】
　　【発明が解決しようとする課題】
　しかし、このような電子制御式の球排出装置は、機構が簡明で制御がしやすい反面、センサを用いての入賞球や賞品球の検出であることから、その検出の正確さが要求される。
　　　【０００７】
　特に、賞品球の場合には、遊技者に対して公正を期するためにも、さらなる賞品球の検出の正確さが要求されるのである。
　　　【０００８】
　しかし、電子制御式の球排出装置にあっては、賞品球の排出スピードが速いことに加え、賞品球の移動などによって発生するノイズ等により不正な信号が発生しやすく、賞品球を検出し損なったり、正規の検出信号と誤認する懼れがあり、そのために、排出制御回路が誤動作をし、結果的に球排出装置の誤動作を招く結果となり、正確な賞品球の排出が行われないという懼れも生じる。
　　　【０００９】
　また、電子ライタなどの高圧パルス発生器を用いてパチンコ機の金属部分に放電することによりノイズを発生させて球排出装置を誤動作させるという不正行為が、不心得な一部の遊技者によって行われるという懼れもある。
　　　【００１０】
　この発明は、上記した問題点を解決することを目的としている。
　　　【００１１】
　　【課題を解決するための手段】
　この発明は、電気的駆動源の作用により所要数の球を排出可能な球排出装置（例えば、賞品球排出装置１６）と、上記球排出装置より排出される球を所定数宛検出するための排出状態検出手段（例えば、排出センサ７４）と、所定の球排出指令信号に基づいて上記球排出装置の制御を行う排出制御回路（例えば、制御装置２００）とを備えた遊技機において、
上記排出制御回路は、外部からのノイズがＩＣ部品等に影響を及ぼすことを防止してなり、
　　　【００１２】
　　【作用】
　したがって、排出制御回路により、排出状態検出手段から順次受信した各々の検出信号に係る予め定められた所定のレベル状態が、所定間隔で発生する基準信号に基づいて複数回判定され、その複数回の判定結果が上記所定レベル状態である場合にのみ正規な検出信号として確定され、それ以外は正規な検出信号として認められず、これにより排出制御の正確性を高める。
　　　【００１３】
　　【発明の実施の形態】
　以下、遊技機としての一実施の形態を図面に基づいて説明する。
　　　【００１４】
　図１に示すように、１は遊技機としてのパチンコ機の遊技盤、２は前面側からフレーム３内に遊技盤１を取付ける基盤（前面枠とも呼ぶ）、４は遊技盤１の前面を覆うカバーガラス、５は基盤２を支持する機枠である。
　　　【００１５】
　遊技盤１は係止部材６ａ，６ｂにより基盤２のフレーム３内に着脱自由に、カバーガラス４はガラス枠７を介して基盤２に開閉可能に取付けられ、基盤２は機枠５にヒンジ８ａ，８ｂにより回動可能に組付けられる。９ａ，９ｂは基盤２の施錠フックである。
　　　【００１６】
　遊技盤１の表面の遊技部には種々の入賞口やアウト口および多数の遊技釘等が配列され、遊技盤１の裏面には各入賞口に入賞した入賞球を案内する集合樋１０が形成される。
　　　【００１７】
　基盤２のフレーム後部には遊技盤１の裏面の構造等に応じて所定の開口部が形成され、開口部後方には遊技盤１の裏面を覆う開閉カバー１１が取付けられる。基盤２の図左下部には球供給機構、発射杆１２、モータ１３等からなる打球発射装置１４が配設され、また基盤２のフレーム後面には下部に入賞球処理装置１５が、上部から右側部および下部にかけて球排出装置としての賞球排出装置１６が配設される。
　　　【００１８】
　入賞球処理装置１５は、遊技盤１の裏面の集合樋１０を流下してきた入賞球を処理するもので、１系統からなり、図２において集合樋１０に接続する案内樋１７と、案内樋１７に続く調流樋１８と、調流樋１８に続く導出樋１９と、調流樋１８に設置したストッパ機構２０および入賞球の検出器（セーフセンサ）２１とから構成される。
　　　【００１９】
　案内樋１７は、上部の開口形状が集合樋１０の下部の開口形状とほぼ同一に形成され、基盤２のフレーム３に遊技盤１を取付けた状態で集合樋１０に接続されると共に、開口部の図示左側の曲部２２に続いて中央に向けて緩やかに下り傾斜する底部２３と、開口部の図示右側から中央に向けて緩やかに下り傾斜して底部２３に対し所定の段差を形成する案内部２４と、案内部２４の終端から底部２３の終端に向けてパチンコ球を整列通過させる整列部２５と、底部２３の終端に垂直に続いてパチンコ球を一個ずつ通過可能な落下部２６とが設けられる。
　　　【００２０】
　調流樋１８は、案内樋１７の落下部２６に続いてパチンコ球を一個ずつ通過可能に緩やかに下り傾斜する誘導部２７と、誘導部２７の終端の導入部２８に略４５度の傾斜角で続いてパチンコ球を一個ずつ通過可能な調流部２９と、調流部２９に垂直に続いてパチンコ球を落下する落下部３０とから形成される。誘導部２７の上壁は終端の導入部２８に向けていくらか通路断面が大きくなるように上り傾斜に、導入部２８の上壁は導入部２８にてパチンコ球が後続のパチンコ球よりも上方に行かないように誘導部２７側に前傾して形成され、これにより誘導部２７に入ったパチンコ球は導入部２８にて球詰まりを生じることなくスムーズに調流部２９に流入される。調流部２９は直線の通路形状で所定の長さに形成され、調流部２９の通路断面はほぼ通路の中心にてパチンコ球を通すようにパチンコ球の径よりもやや大きい正方形に形成される。落下部３０は調流部２９からのパチンコ球を素早く落下するように調流部２９よりも大きな通路断面に形成される。
　　　【００２１】
　導出樋１９は、調流樋１８の落下部３０に続く傾斜部３１と流下部３２とから形成され、流下部３２の出口はパチンコ機後方の図示しない回収樋に接続される。
　　　【００２２】
　ストッパ機構２０は、図３（Ａ），（Ｂ）のように調流樋１８の側上方より調流部２９内に進入してパチンコ球の流下を阻止する２つの係止爪３３，３４と、係止爪３３，３４の駆動手段としてのソレノイド（セーフソレノイド）３５が設けられる。係止爪３３は鉤状部材からなり、調流部２９の下流部側方にて基板（図示しない）に設けた支軸３６により揺動自由に支持され、球阻止部となる進入側外周部が揺動軌跡と一致するように円弧状に形成され、中央部にその上方にて基板に設置したセーフソレノイド３５がピン連結される。係止爪３４は係止爪３３の外周部に係合する後方部を有する半円状部材からなり、係止爪３３の斜め上方の調流部２９の側方にて基板に設けた支軸３７により揺動自由に支持され、球阻止部となる進入側外周部が揺動軌跡と一致するように円弧状におよび後方外周部も円弧状に形成され、かつ後方部に係止爪３４を後退方向に付勢する所定のウエイト３８が取付けられる。
　　　【００２３】
　係止爪３３，３４に対応して調流部２９の側壁にはスリットが設けられ、係止爪３３，３４が調流部２９内に進入した状態において係止爪３３，３４の球阻止部先端の間隔がパチンコ球の径とほぼ一致するように，係止爪３３，３４やスリットの位置等が設定される。
　　　【００２４】
　セーフソレノイド３５の非通電状態では、図３（Ａ）のように係止爪３３の球阻止部が調流部２９内に所定量進入する一方、後方部のウエイト３８により係止爪３４の球阻止部がスリット内に後退した状態にあり、この状態では調流部２９内に有るパチンコ球は係止爪３３の球阻止部により流下を阻止される。
　　　【００２５】
　次に、この非通電状態からセーフソレノイド３５に通電されると、図３（Ｂ）のように係止爪３３が上方に回動して係止爪３３の球阻止部がスリット内に後退すると共に、係止爪３３の外周部に押動されて係止爪３４の球阻止部が調流部２９内に所定量進入し、このため調流部２９内の後続のパチンコ球は係止爪３４の球阻止部により流下を阻止される一方、先頭のパチンコ球は係止爪３３から解放され、落下部３０に落下する。そして、セーフソレノイド３５の通電が断たれると、リターンスプリングの付勢力により係止爪３３が元の図３（Ａ）の位置に戻り、係止爪３３の球阻止部が調流部２９内に所定量進入する一方、後方部のウエイト３８により係止爪３４の球阻止部がスリット内に後退し、このため係止爪３４に阻止されていた後続のパチンコ球は係止爪３３の球阻止部まで下がり流下を阻止される。
　　　【００２６】
　即ち、調流樋１８内に入ったパチンコ球（入賞球）は、セーフソレノイド３５のオン、オフに応じて調流部２９内で一時停止されると共に、後続球と分離されて導出樋１９に流出される。また、係止爪３３，３４を支軸３６，３７により揺動自由に支持すると共に、各球阻止部を揺動軌跡と一致する円弧状に形成したため、調流部２９内への進入時にパチンコ球を噛んだり、後退時にパチンコ球の球圧により抵抗を受けることがなく、セーフソレノイド３５のオン、オフに応じて係止爪３３，３４はスムーズに動作する。
　　　【００２７】
　セーフセンサ２１は、パチンコ球が通る検出口を有する近接スイッチからなり、ストッパ機構２０の係止爪３３と３４の球阻止部の間にて、調流樋１８の調流部２９に設けた収納部３９に設置される。係止爪３３と３４の球阻止部の間にパチンコ球が有ればセーフセンサ２１はオン信号を出力し、無ければセーフセンサ２１はオフ信号を出力する。
　　　【００２８】
　球排出装置としての賞球排出装置１６は、遊技盤１の各入賞口への入賞により賞品球の排出を行うもので、図２において基盤２のフレーム上部に賞品球を貯留する上タンク４０と、上タンク４０からの賞品球を導く誘導樋４１と、誘導樋４１に続いて基盤２のフレーム右側部に賞品球の排出機構４２ａ，４２ｂと、排出機構４２ａ，４２ｂに続いて賞球排出樋４３と、基盤２のフレーム下部に賞球排出樋４３の分配樋４４と、賞球排出樋４３から分岐する球抜き樋４５とが設けられる。排出機構４２ａ，４２ｂは２系統からなるが、図２では１系統のみ図示している。
　　　【００２９】
　上タンク４０は、図４、図５のように位置決めピンを設けた前端の取付基板４６ａ，４６ｂを基盤２のフレーム３に形成した取付溝４８ａ，４８ｂに挿入し、係止具４９ａ、４９ｂを設けた中間部の取付座５０ａ，５０ｂをフレーム３の取付面に合わせ、係止具４９ａ，４９ｂをフレーム３の係止孔５１ａ，５１ｂに押し込むことで取付けられる。上タンク４０の傾斜する底壁の最下部（図左側）には誘導樋４１の上流部に開口する落下部５２が形成され、落下部５２には誘導樋４１側に設けたスイッチ（補給センサ）５３を動作する踏板５４がタンク４０の上部から回動自由に吊設される。上タンク４０内に賞品球が無くなると、踏板５４がコイルバネ（図示しない）の作用により反時計方向に跳ね上がって補給センサ５３から離れ、補給センサ５３がオン信号を出力する。５５は誘導樋４１に向けて吊設された球ナラシである。
　　　【００３０】
　誘導樋４１は、図５〜図８（Ａ），（Ｂ）のように取付基板５６に上流部から下流部（図右側）に向けて緩やかな下り傾斜に形成され、上流部の樋壁は取付基板５６とで上タンク４０の落下部５２を囲う所定高さに形成され、誘導樋４１の中央に途中から誘導樋４１内を奥側と手前側の２条平行の通路５７ａ，５７ｂに形成する分流壁５８が設けられる。
　　　【００３１】
　分流壁５８は上タンク４０の落下部５２の踏板５４の対向側の開口縁部に対応する位置から斜めにパチンコ球の径以上の高さに立ち上がり、樋壁に応じて高さを低くし、下流部にてパチンコ球の径の半分以下の高さとなるように形成される。分流壁５８を上タンク４０の落下部５２の開口縁部下方にて立ち上がらせるので、上タンク４０から誘導樋４１へのパチンコ球の流入がスムーズとなり、下流部に行くにしたがって分流壁５８の高さをパチンコ球の径の半分以下まで徐々に低くするので、パチンコ球が途中でこぼれることがなく、２条の通路５７ａ，５７ｂに適確に分離、整流される。
　　　【００３２】
　誘導樋４１の２条の通路５７ａ，５７ｂには、それぞれパチンコ球が接触する通路底面に金属板からなる導電性プレート５９ａ，５９ｂが貼付もしくは一体的に取付けられる。導電性プレート５９ａ，５９ｂは、図ではほぼ通路５７ａ，５７ｂの全長に渡って設けられているが、通路５７ａ，５７ｂの途中に所定の区間設けても良い。導電性プレート５９ａ，５９ｂは電気的に接続され、少なくとも一方のプレートの裏面に通路底面を貫通する端子部６０が形成される。そして、端子部６０に途中に抵抗器等の減衰器６１を設けた配線部材６２が嵌着、接続され、配線部材６２を介して導電性プレート５９ａ，５９ｂは後述する制御装置２００のケース２１６に接続される。
　　　【００３３】
　誘導樋４１の下流部には球ナラシを兼ねる球止め装置６３と、半端球を検出するためのスイッチ（半端センサ）６４が配設される。球止め装置６３は先端側を反り曲げた曲板６５が通路５７ａ，５７ｂ上に架設した支軸６６に回動自由に取付けられ、通常時には曲板６５の側部の突起６７と樋壁との間に張設したバネ６８によって、曲板６５が図８（Ａ）のように先端側を反り上げて通路５７ａ，５７ｂ上にかぶさる球ナラシ位置に保持され、通路５７ａ，５７ｂでのパチンコ球の重なりを防止してパチンコ球をスムーズに流下させる。
　　　【００３４】
　また、先端側を手動により持ち上げて曲板６５を図８（Ｂ）のように起立させると、バネ６８の付勢方向が変わって曲板６５が直立状態に、つまり後端側が通路５７ａ，５７ｂ内に進入してパチンコ球の流下を阻止する球止め位置に保持され、これにより賞球排出装置の保守点検時や故障時等にパチンコ球を遮断して作業を容易に行えるようになる。半端センサ６４は通路５７ａ，５７ｂの底部に配設したウエイトを有する踏板６９ａ，６９ｂに応動ずるレバー７０に対向して配置され、踏板６９ａ，６９ｂは球止め装置６３の直立状態での曲板６５の直下流にて傾動自由に配設される。パチンコ球が踏板６９ａ，６９ｂ上に有れば図８（Ａ）のように踏板６９ａ，６９ｂが通路５７ａ，５７ｂと連続し、レバー７０がバランスして半端センサ６４がオフ信号を出力し、無ければ図８（Ｂ）のように踏板６９ａ，６９ｂかウエイトにより傾動してレバー７０の後部が半端センサ６４を押動し、半端センサ６４がオン信号を出力する。
　　　【００３５】
　誘導樋４１の通路５７ａ，５７ｂは、排出機構４２ａ，４２ｂの流入樋７１ａ，７１ｂにスムーズにつながるように、下流端の樋壁が上部後方に斜めに切り欠かれ、これに合わせて排出機構４２ａ，４２ｂの流入樋７１ａ，７１ｂは、流入端の樋壁が上部前方に斜めに突出される。
　　　【００３６】
　排出機構４２ａ，４２ｂは、図９、図１０のように基盤２のフレーム３に取付けるユニットケース７５に２系統並列に設けられ、誘導樋４１の通路５７ａ，５７ｂに接続する流入樋７１ａ，７１ｂと、流入樋７１ａ，７１ｂに続く調流樋７２ａ，７２ｂと、調流樋７２ａ，７２ｂに設置した排出ストッパ機構７３ａ，７３ｂおよび排出球の検出器（排出センサ）７４ａ，７４ｂとから構成される。なお、流入樋７１ａ、調流樋７２ａ、排出ストッパ機構７３ａ、排出センサ７４ａは図示してない。
　　　【００３７】
　ユニットケース７５は中央基枠７６と、フレーム３側の裏カバー７７と、表カバー７８からなり、流入樋７１ａ、調流樋７２ａは裏カバー７７が合わさる中央基枠７６の裏面側に一体的に形成され、流入樋７１ｂ、調流樋７２ｂは表カバー７８が合わさる中央基枠７６の表面側に一体的に形成される。排出ストッパ機構７３ａ、排出センサ７４ａは中央基枠７６の裏面側に配置され、排出ストッパ機構７３ｂ、排出センサ７４ｂは中央基枠７６の表面側に配置される。
　　　【００３８】
　流入樋７１ａ，７１ｂは、誘導樋４１の通路５７ａ，５７ｂに続いて流入部から図右側に緩やかに下り傾斜する傾斜部７９と、傾斜部７９の下流端に続いて通路方向を略１８０度反転させる第１屈曲部８０と、第１屈曲部８０に続いて図左側に緩やかに下り傾斜する傾斜部８１と、傾斜部８１の下流端に続いて通路方向を再び略１８０度反転させる第２屈曲部８２とから形成される。
　　　【００３９】
　第１屈曲部８０および第２屈曲部８２によりそれぞれ傾斜部７９，８０からのパチンコ球の流下速度が減少されると共に、後述する排出ストッパ機構７３ａ，７３ｂによる流下阻止状態にて誘導樋４１側からの球圧を軽減する。
　　　【００４０】
　調流樋７２ａ，７２ｂは、第２屈曲部８２に続いて通路方向を略９０度転換させ垂直下方に向かう垂直部８３と、垂直部８３の終端の側部に続く誘導部８４と、誘導部８４に略４５度の傾斜角で続く調流部８５と、調流部８５に垂直に続く落下部８６とから形成される。
　　　【００４１】
　垂直部８３の終端の底壁８７は誘導部８４側に緩やかに下り傾斜に形成され、垂直部８３の誘導部８４と対向側の壁面８８は誘導部８４側にいくらか迫り出させて形成される。これにより、垂直部８３の底壁８７上に乗ったパチンコ球の中心は後続のパチンコ球の中心よりも誘導部８４側に位置することになり、垂直部８３内のパチンコ球は終端部分にて球詰まりを生じることなく誘導部８４に流入される。
　　　【００４２】
　誘導部８４の上壁８９は略４５度傾斜して形成され、誘導部８４にてパチンコ球が後続の垂直部８３の底壁８７上のパチンコ球よりも上方に行かないようにすると共に、垂直部８３の底壁８７にて方向を変えながら誘導部８４に流入するパチンコ球を略４５度傾斜した上壁８９に当てることで、誘導部８４でパチンコ球を一定の間隔で流下させ、かつパチンコ球の流下速度を調速する。これにより、垂直部８３から誘導部８４に入ったパチンコ球は誘導部８４を所定の速度および間隔で流下し、スムーズに調流部８５に流入される。また、垂直部８３の側部に誘導部８４を接続することで、後述する排出ストッパ機構７３ａ，７３ｂによる流下阻止状態にて調流部８５側での球圧を軽減する。
　　　【００４３】
　調流部８５は直線の通路形状で所定の長さ（パチンコ球２個分）に形成され、落下部８６は調流部８５からのパチンコ球を素早く落下するように調流部８５よりも大きな通路断面に形成される。
　　　【００４４】
　そして、この並列の排出路間の隔壁に、即ち流入樋７１ａ，７１ｂの流入部から傾斜部７９、第１屈曲部８０、傾斜部８１、第２屈曲部８２および調流樋７２ａ，７２ｂの垂直部８３、誘導部８４、調流部８５にかけて中央基枠７６の裏表の両通路側壁に、図１１のように帯状に突起部９０ａ，９０ｂが設けられる。
　　　【００４５】
　突起部９０ａ，９０ｂは、誘導樋４１の通路５７ａ，５７ｂから流入したパチンコ球がそれぞれの排出路を流下する際に、パチンコ球をそれぞれ中央基枠７６側から徐々にカバー７７，７８側に変位させると共に、後述する排出センサ７４ａ，７４ｂの設置部の両排出路の間隔を所定量広げるためのもので、流入樋７１ａ，７１ｂの流入端部にて誘導樋４１の分流壁５８に連続するようにつまり誘導樋４１の分流壁５８の肉厚と等しく、流入部から傾斜部７９の下流にかけて徐々に隆起し、傾斜部７９の終端にて所定の高さとなり、後はその所定の高さのまま調流樋７２ａ，７２ｂの調流部８５まで形成される。
　　　【００４６】
　ただし、突起部９０ａ，９０ｂは、排出センサ７４ａ，７４ｂの設置部にてセンサ７４ａ，７４ｂの厚み分、切り欠き形成される。また、裏カバー７７、表カバー７８の通路側壁は、誘導樋４１の樋壁に連続する流入樋７１ａ，７１ｂの流入部から突起部９０ａ，９０ｂに合わせて徐々に後退するように形成され、突起部９０ａ，９０ｂと平行面に形成される。
　　　【００４７】
　これにより、排出センサ７４ａ，７４ｂの設置部の両排出路の間隔が広がる一方、誘導樋４１の両通路５７ａ，５７ｂに整列されたパチンコ球は、バラツイたり球詰まりを起こすことなく、両通路５７ａ，５７ｂからそれぞれ流入樋７１ａ，７１ｂにスムーズに流入し、そのまま突起部９０ａ，９０ｂに沿いそれぞれ徐々に間隔が開く流入樋７１ａ，７１ｂ、調流樋７２ａ，７２ｂをスムーズに流下する。なお、突起部９０ａ，９０ｂは流入樋７１ａ，７１ｂの第１屈曲部８０や傾斜部８１や第２屈曲部８２および調流樋７２ａ，７２ｂ側にて徐々に隆起させるようにしても良い。
　　　【００４８】
　排出ストッパ機構７３ａ，７３ｂは、調流樋７２ａ，７２ｂの調流部８５の側上方より調流部８５内に進入してそれぞれパチンコ球の流下を阻止する係止爪９１ａ，９１ｂと、それぞれ係止爪９１ａ，９１ｂの駆動手段としてのソレノイド（排出ソレノイド）９２ａ，９２ｂが設けられる。係止爪９１ａ，９１ｂは扇状部材からなり、調流部８５の下流部側方にて中央基枠７６に突設した支軸９３により揺動自由に支持され、球阻止部となる扇状外周部が揺動軌跡と一致するように形成され、中央部にリンク９４を介して排出ソレノイド９２ａ，９２ｂがピン連結される。係止爪９１ａ，９１ｂに対応して調流部８５の側壁にはスリットが設けられ、係止爪９１ａ，９１ｂが調流部８５内に進入した状態において調流部８５内に流下を阻止されたパチンコ球２個が並ぶように係止爪９１ａ，９１ｂやスリットの位置等が設定される。排出ソレノイド９２ａ，９２ｂは支軸９３の上方にて中央基枠７６に設けた嵌合枠９５に嵌装され、嵌合枠９５にボルト止めされる。なお、支軸９３、嵌合枠９５はもちろん中央基枠７６の両面に設けられる。
　　　【００４９】
　排出ソレノイド９２ａ，９２ｂの非通電状態では、図１２（Ａ）のように係止爪９１ａ，９１ｂの球阻止部が調流部８５内に所定量進入した状態にあり、この状態では調流部８５内のパチンコ球は係止爪９１ａ，９１ｂの球阻止部により流下を阻止される。そして、非通電状態から排出ソレノイド９２ａ，９２ｂに通電されると、図１２（Ｂ）のようにリンク９４の引動により係止爪９１ａ，９１ｂが上方に回動して係止爪９１ａ，９１ｂの球阻止部がスリット内に後退し、このため調流部８５内のパチンコ球は係止爪９１ａ，９１ｂから解放され、落下部８６に落下する。そして、排出ソレノイド９２ａ，９２ｂの通電が断たれると、リターンスプリングの付勢力により係止爪９１ａ，９１ｂが元の図１２（Ａ）の位置に戻り、球阻止部により調流部８５内のパチンコ球は流下を阻止される。
　　　【００５０】
　係止爪９１ａ，９１ｂを支軸９３に揺動自由に支持すると共に、各球阻止部を揺動軌跡と一致する扇状に形成したため、各球阻止部はパチンコ球に対して常に接線方向に動くことになり、このため調流部８５内への進入時に調流部８５内のパチンコ球を噛んだり、後退時に流下を阻止していたパチンコ球の球圧により抵抗を受けることがなく、係止爪９１ａ，９１ｂは排出ソレノイド９２ａ，９２ｂのオン、オフに応じてスムーズに動作する。
　　　【００５１】
　排出状態検出手段としての排出センサ７４ａ，７４ｂは、パチンコ球が通る検出口９６の周囲四方を囲った構造の所定の近接スイッチからなり、排出ストッパ機構７３ａ，７３ｂの係止爪９１ａ，９１ｂが調流樋７２ａ，７２ｂの調流部８５内に進入した状態において、それぞれ流下を阻止された先頭に続く２番目のパチンコ球のほぼ中央を囲う位置にて、調流樋７２ａ，７２ｂの調流部８５の底壁側に形成した収納部９７にセンサ基部９８を、その対向側の凹部９９にセンサ先端部１００を差し込み、調流部８５の側壁の突起部９０ａ，９０ｂの切り欠き部１０１に検出口９６の一方の側部１０２を、カバー７７，７８に形成した凹部１０３に検出口９６およびセンサの他方の側部１０４を嵌め合い、並列に設置される。
　　　【００５２】
　排出センサ７４ａ，７４ｂの検出口９６の四方の内面（隅部を除く）のうち、中央基枠７６側の内面は突起部９０ａ，９０ｂの表面に、他の三方の内面はそれぞれ調流部８５の底壁、上壁、カバー７７，７８の側壁に連続し、調流部８５を流下するパチンコ球がスムーズに検出口９６を通るようになっている。連続するパチンコ球を検出するために、両排出路に検出口９６の周囲を囲った排出センサ７４ａ，７４ｂを並設する場合、所定の間隔を必要とするが、突起部９０ａ，９０ｂを介して両排出路の間隔を広げることで、排出センサ７４ａ，７４ｂを並設可能になる。各排出センサ７４ａ，７４ｂは、パチンコ球がセンサの検出口９６の通過中にあるときを含め検出口９６内にあるときはオン信号を出力し、無いときはオフ信号を出力する。
　　　【００５３】
　このように、並列の排出路に、即ち流入樋７１ａ，７１ｂに続く調流樋７２ａ，７２ｂの両調流部８５に排出センサ７４ａ，７４ｂを並設するのであり、流入樋７１ａ，７１ｂから調流樋７２ａ，７２ｂの両排出路間の隔壁に徐々に隆起する帯状の突起部９０ａ，９０ｂを形成し、この突起部９０ａ，９０ｂを介して両排出路を徐々に離間しながらセンサ設置部つまり両調流部８５の間隔を広げるので、流入樋７１ａ，７１ｂ、調流樋７２ａ，７２ｂをパチンコ球がスムーズに流下可能としつつ、所定の幅の排出センサ７４ａ，７４ｂを両調流部８５に容易に並設することができる。
　　　【００５４】
　また、両排出路問の隔壁に徐々に隆起する帯状の突起部９０ａ，９０ｂを形成することでセンサ設置部の間隔を広げるので、流入樋７１ａ，７１ｂ、調流樋７２ａ，７２ｂ間の全体の隔壁の厚さを増やさなくとも良く、このため製作コストを低減できる。
　　　【００５５】
　一方、誘導樋４１の通路５７ａ，５７ｂにつながる流入樋７１ａ，７１ｂの流入端部にて、帯状の突起部９０ａ，９０ｂが誘導樋４１の分流壁５８に等しく連続するので、誘導樋４１の通路５７ａ，５７ｂを２方向に分離形成する必要はなく、このため誘導樋４１の製作が容易になると共に、誘導樋４１の通路５７ａ，５７ｂからのパチンコ球が流入樋７１ａ，７１ｂにスムーズに流入するので、流入する際にパチンコ球の流れが変動したり、誘導樋４１や流入樋７１ａ，７１ｂ等が部分的に摩耗することを十分に防止できる。
　　　【００５６】
　また、誘導樋４１の両通路５７ａ，５７ｂの間隔を広げずに済むため、その分流壁５８を適正な厚さに設定することができ、これにより両通路５７ａ，５７ｂにパチンコ球が適確に分配、整列されると共に、整列状態で流入樋７１ａ，７１ｂに誘導され、誘導樋４１にて球が重なったり、球詰まりを起こすことを防止できる。
　　　【００５７】
　この排出機構４２ａ，４２ｂならびに排出機構４２ａ，４２ｂ内のパチンコ球の動きを説明すると、排出ストッパ機構７３ａ，７３ｂの係止爪９１ａ，９１ｂが調流樋７２ａ，７２ｂの調流部８５内に進入してパチンコ球の流下を阻止している状態では、係止爪９１ａ，９１ｂに当接するパチンコ球を先頭に調流樋７２ａ，７２ｂおよび流入樋７１ａ，７１ｂ内にパチンコ球が隙間なく整列し、静止している。この際、誘導樋４１側のパチンコ球からの球圧は流入樋７１ａ，７１ｂの第１屈曲部８０および第２屈曲部８２により軽減され、調流樋７２ａ，７２ｂ側にかかることはない。また、排出ストッパ機構７３ａ，７３ｂの係止爪９１ａ，９１ｂにかかる球圧は調流樋７２ａ，７２ｂの調流部８５内および誘導部８４内のパチンコ球のみとなる。
　　　【００５８】
　そして、排出ストッパ機構７３ａ，７３ｂの排出ソレノイド９２ａ，９２ｂがオンされ係止爪９１ａ，９１ｂが調流部８５内から後退されると、調流部８５内の先頭のパチンコ球および先頭に続く調流部８５、誘導部８４内のパチンコ球が速やかに流下し始め、これに続いて垂直部８３内のパチンコ球が誘導部８４内に流入し、誘導部８４の上壁８９により速度、間隔を調整されて誘導部８４内を落下し、調流部８５内を速やかに流下する。さらに、これに続いて流入樋７１ａ，７１ｂの第２屈曲部８２内のパチンコ球が垂直部８３内に速やかに流入し、傾斜部８１内のパチンコ球が第２屈曲部８２内に、第１屈曲部８０内のパチンコ球が傾斜部８１内にそれぞれ速やかに流入し、傾斜部７９内のパチンコ球がカバー７７，７８側に変位しながら第１屈曲部８０内に速やかに流入する。この際、係止爪９１ａ，９１ｂの後退により、先頭のパチンコ球と先頭に続く調流部８５内のパチンコ球はほぼ接しながら調流部８５内を流下し、誘導部８４からのパチンコ球は略４５度の角度で調流部８５が続くため、方向を変えつつ前方のパチンコ球と漸次離間して調流部８５内を流下し、さらに垂直部８３からのパチンコ球は誘導部８４の上壁８９により速度、間隔を調整されるため、それぞれ所定の離間距離で調流部８５内を流下するようになる。また、調流部８５、誘導部８４、垂直部８３、屈曲部８２、傾斜部８１等、各部での球圧は小さいため、パチンコ球はスムーズに流下する。
　　　【００５９】
　そして、排出ストッパ機構７３ａ，７３ｂの排出ソレノイド９２ａ，９２ｂがオフされ係止爪９１ａ，９１ｂが調流部８５内に進入されると、調流部８５内を流下途中のパチンコ球が係止爪９１ａ，９１ｂに衝突して流下を阻止され、これに続いて調流部８５、誘導部８４、垂直部８３、屈曲部８２、傾斜部８１、屈曲部８０、傾斜部７９内のパチンコ球も流下を阻止され、元の静止状態に戻る。係止爪９１ａ，９１ｂの球阻止部は揺動軌跡と一致するため、パチンコ球の衝突による衝撃力を支軸９３により受けることができ、耐久性が向上すると共に、球阻止部はパチンコ球に対して接線方向に動くため、係止爪９１ａ，９１ｂの調流部８５内進入時にパチンコ球と衝突しても、パチンコ球を噛んだりすることなく係止爪９１ａ，９１ｂはスムーズに進入する。
　　　【００６０】
　即ち、誘導樋４１に続く排出機構４２ａ，４２ｂの流入樋７１ａ，７１ｂに２つの屈曲部８０，８２を、屈曲部８２に続いて垂直部８３を設け、垂直部８３の下部側壁８８を迫り出させて対抗側に上壁８９を傾斜した誘導部８４を設け、さらに誘導部８４の下方に略４５度傾斜した調流部８５に排出ストッパ機構７３ａ，７３ｂを配設したので、排出ソレノイド９２ａ，９２ｂのオン時にパチンコ球のスムーズな流下を確保できると共に、排出ソレノイド９２ａ，９２ｂのオフ時に係止爪９１ａ，９１ｂ等にかかる球圧を軽減してパチンコ球の流下を適確に阻止することができ、信頼性が大幅に向上する。また、排出機構４２ａ，４２ｂはユニット構造となっており、このため各部品が故障したとき等、ユニットごと簡単に交換できるため、故障等に対し迅速に対応できる。また、各ソレノイドを垂直に配置したため、内部へのごみの侵入やロッド等の片減りを防止できる。
　　　【００６１】
　排出機構４２ａ，４２ｂに続く賞球排出樋４３は、図２のように１系統からなるもので、排出機構４２ａ，４２ｂの調流樋７２ａ，７２ｂの両落下部８６に接続する流入部１０５と、基盤２の前面のパチンコ球の供給皿につながる流下樋１０６を設けた排球部１０７とから形成され、調流樋７２ａ，７２ｂの両落下部８６から流入したパチンコ球を突壁等に当てながら流下樋１０６上に落として供給皿へ排出する。分配樋４４は、基盤２の前面下部の受皿につながり、供給皿がパチンコ球で一杯になると前記流下樋１０６から溢れたパチンコ球を受皿へ排出する。また、分配樋４４には流下樋１０６の直下方にて樋壁を兼ねる検知片１０８と、検知片１０８に連動するスイッチ（オーバーフロースイッチ）１０９とが設けられ、分配樋４４内がパチンコ球で一杯になり、その押圧力で検知片１０８が押動されると、オーバーフロースイッチ１０９がオン信号を出力する。
　　　【００６２】
　賞球排出樋４３の途中から分岐する球抜き樋４５は、分岐部に図１３（Ａ），（Ｂ）のように板状の球抜きゲート１１０が支軸１１１を介して回動自由に配設され、樋壁外部にて支軸１１１に固定したクランク１１２がレバー１１３に係合され、レバー１１３の後端に球抜きゲート１１０を球抜き樋４５の閉位置（賞球排出樋４３が開）に付勢するバネ１１４が掛合され、レバー１１３にバネ１１４と反対側にリンク１１５を介して球抜きゲート１１０を駆動する球抜きソレノイド１１６が連結される。
　　　【００６３】
　球抜きソレノイド１１６に通電されると、リンク１１５の上動によりバネ１１４に抗して球抜きゲート１１０が球抜き樋４５を開きかつ賞球排出樋４３を塞ぐ位置まで回動され、球抜きソレノイド１１６の通電が断たれると、バネ１１４により球抜きゲート１１０が球抜き樋４５の閉位置に戻される。球抜きソレノイド１１６をオン、オフするためのスイッチ（球抜きセンサ）は、図示しないが基盤２の前面に形成した操作孔からピンあるいはワイヤのような器具を挿入することにより、動作される。
　　　【００６４】
　なお、球抜き樋４５の下流側は、遊技盤１のアウト口１１７（図２）より回収されたアウト球を導くアウト球導出樋１１８と合流され、さらにパチンコ機後方の図示しない回収樋に接続される。
　　　【００６５】
　図１４には入賞球処理装置１５、賞球排出装置１６、打球発射装置１４等を制御する排出制御回路としての制御装置２００の回路を示す。
　　　【００６６】
　制御装置２００は、内部にＲＯＭやＲＡＭを備えるＣＰＵ（マイクロコンピュータ）２０１、ＣＰＵ２０１の入出力を処理するインターフェイス２０２、各入出力端子２０３〜２０８、タイマ発信回路２０９、電源回路２１０等からなり、ＣＰＵ２０１のＲＯＭには実行すべきプログラムおよび種々のデータを設定し、ＣＰＵ２０１のＲＡＭはＣＰＵ２０１のワークエリアやタイマエリアを提供する。
　　　【００６７】
　制御装置２００の各入出力端子２０３〜２０８には、排出機構４２ａ（排出１側），４２ｂ（排出２側）の排出センサ７４ａ，７４ｂ（排出センサ１，２）、排出ソレノイド９２ａ，９２ｂ（排出Ｓｏｌ１，２）、入賞球処理装置１５のセーフセンサ２１（セーフセンサ）、セーフソレノイド３５（セーフＳｏｌ）、賞球排出装置１６の球抜きセンサ、球抜きソレノイド１１６（球抜きＳｏｌ）、発射モータ１３等の各電気機器、主電源（２４Ｖ）ならびに図示しない遊技盤１側の制御装置が接続され、制御装置２００はＲＯＭのプログラムデータ、前記各センサならびに遊技盤１側の制御装置等からの信号に基づき、排出Ｓｏｌ１，２、セーフＳｏｌ、球抜きＳｏｌ、発射モータ１３等を制御する。２１１は制御装置２００のリセットスイッチである。なお、回路中、発射モータ１３、賞品球の補給センサ５３、誘導樋４１の半端センサ６４、賞球排出樋４３のオーバーフロースイッチ１０９（オーバーフローＳＷ）等は図示省略してある。
　　　【００６８】
　また、制御装置２００には、複数の賞球数を設定するための賞球数設定回路２１２が設けられる。賞球数設定回路２１２は、ＣＰＵ２０１につなぐ２群の抵抗２１３ａ，２１３ｂ，２１４ａ〜２１４ｃからなり、これらの抵抗値をもとにセーフＩ側（後述する）、セーフＩＩ側（後述する）の賞球数が設定される。即ち、抵抗２１３ａ，２１３ｂの抵抗値の組み合わせにより、セーフＩ側の賞球数は４つの数値（例えば１０，１１，１３，１５）の中から、また抵抗２１４ａ〜２１４ｃの抵抗値の組み合わせにより、セーフＩＩ側の賞球数は８つの数値（例えば１，２，３，５，６，７，８，１０）の中から、それぞれ設定される。なお、各抵抗２１３ａ，２１３ｂ，２１４ａ〜２１４ｃは制御装置２００内に組込まれるので、両賞球数は製作時に設定された数値に固定される。
　　　【００６９】
　そして、制御装置２００は、賞球数設定回路２１２の両賞球数を定期的にＲＡＭに書き込むと共に、通常の場合はセーフＩ側の賞球数を選択し、遊技盤１側の制御装置から球排出指令信号としての賞球信号が入力された場合はセーフＩＩ側の賞球数を選択し、その賞球数をもとに賞球排出数を制御する。なお、この場合賞球数設定回路２１２に複数のディップスイッチを設け、ディップスイッチのオン、オフの組み合わせによってセーフＩ側、セーフＩＩ側の賞球数を設定するようにしても良い。
　　　【００７０】
　ここで、遊技盤１の例を図１８〜図２０に示す。
　　　【００７１】
　これは、遊技部３００内に一般入賞口３０１，３０２ａ，３０２ｂ，３０３ａ，３０３ｂ、特定入賞口３０４，３０５ａ，３０５ｂ、中央に可動部材３０６ａ，３０６ｂを有する変動入賞装置３０７を設けたもので、特定入賞口３０４，３０５ａ，３０５ｂと、一般入賞口３０１，３０２ａ，３０２ｂ，３０３ａ，３０３ｂおよび変動入賞装置３０７とで打球の入賞に対する賞球数が異なるものである。
　　　【００７２】
　特定入賞口３０４，３０５ａ，３０５ｂには入賞球を検出する始動スイッチ３０８，３０９ａ，３０９ｂを配置している。変動入賞装置３０７内には特別入賞口３１０、特別入賞口３１０の左右に一般入賞口３１１ａ，３１１ｂを形成し、特別入賞口３１０には入賞球を検出するサイクルスイッチ３１２を、これらの下流部には特別入賞口３１０および一般入賞口３１１ａ，３１１ｂの全通過球を検出するカウントスイッチ３１３を配置している。
　　　【００７３】
　遊技部３００内に打球が発射され、特定入賞口３０４，３０５ａ，３０５ｂに入賞すると、始動スイッチ３０８，３０９ａ，３０９ｂのオンに応じて、図示しない制御装置が変動入賞装置３０７の可動部材３０６ａ，３０６ｂを１，２回、打球を受け入れない第１状態から打球を受け入れ易い第２状態に変換駆動する。そして、このとき他の打球が変動入賞装置３０７内に入賞し、さらに変動入賞装置３０７内の特別入賞口３１０に入賞すると、サイクルスイッチ３１２がオンし大当たり遊技が発生する。
　　　【００７４】
　大当たり遊技が発生すると、変動入賞装置３０７の可動部材３０６ａ，３０６ｂが第１状態から第２状態に何回も変換駆動され、さらにこれがサイクルの継続に応じ繰り返し行われるため、多数の打球が変動入賞装置３０７内に入賞することになる。
　　　【００７５】
　この各サイクルは、可動部材３０６ａ，３０６ｂが１８回変換駆動もしくは変動入賞装置３０７内の下流部のカウントスイッチ３１３が通過球を１０個カウントすると、終了する。なお、サイクル中に打球が変動入賞装置３０７内の特別入賞口３１０に入賞しなければ、サイクルスイッチ３１２のオフによりそのサイクル終了時点で大当たり遊技が終了する。
　　　【００７６】
　一般入賞口３０１，３０２ａ，３０２ｂ，３０３ａ，３０３ｂ、特定入賞口３０４，３０５ａ，３０５ｂおよび変動入賞装置３０７の入賞球は、遊技盤１の裏面の集合樋１０内に入り、集合樋１０内に画成したそれぞれの通路部３１４ａ〜３１４ｄを介して基盤２側の入賞球処理装置１５の案内樋１７に流入する。
　　　【００７７】
　そして、一般入賞口３０１，３０２ａ，３０２ｂ，３０３ａ，３０３ｂおよび変動入賞装置３０７の入賞球と、特定入賞口３０４，３０５ａ，３０５ｂの入賞球とに対して異なった数の賞球を行うために、遊技盤１の制御装置は特定入賞口３０４，３０５ａ，３０５ｂに入賞したときに賞球側の制御装置２００に賞球信号を出力する。即ち、遊技盤１の制御装置は、特定入賞口３０４，３０５ａ，３０５ｂの始動スイッチ３０８，３０９ａ，３０９ｂがオンすると、そのオン毎に賞球信号（セーフＩＩ信号等）を賞球側の制御装置２００に出力するようになっている。この賞球信号が入力された場合に制御装置２００が前述のセーフＩＩ側の賞球数を選択する（後述する）。
　　　【００７８】
　なお、例えば一般入賞口３０１，３０２ａ，３０２ｂ，３０３ａ，３０３ｂおよび変動入賞装置３０７の入賞に対する賞球数が１３個の場合は、予め制御装置２００の賞球設定回路２１２のセーフＩ側の賞球数が“１３”に、特定入賞口３０４，３０５ａ，３０５ｂの入賞に対する賞球数が７個の場合は、同じく賞球数設定回路２１２のセーフＩＩ側の賞球数が“７”に設定される。
　　　【００７９】
　一方、制御装置２００の構造は、図１５〜図１７のようにＣＰＵ２０１、インタフェース２０２、入出力端子２０３〜２０８、タイマ発信回路２０９、電源回路２１０等の各電気部品を配設、接続した基板２１５および基板２１５を収納する金属製のケース２１６からなる。
　　　【００８０】
　ＣＰＵ２０１等のＩＣ部品、トランジスタや比較的大きいコンデンサ等は基板２１５の表面に、各入出力端子２０３〜２０８、リセットスイッチ２１１は基板２１５の表面の四方周辺に配置され、小さな抵抗、コンデンサ等は基板２１５の裏面に配置されている。また、基板２１５の表面の２つの隅部には基板２１５のグランド面に金属の切片２１７が貼設されている。
　　　【００８１】
　ケース２１６の本体２１８は、長手方向の２つの側面２１９と１端面２２０を折り曲げ成形して筺枠としたもので、側面２１９の内側に平行に小さな溝２２１が設けられ、この溝２２１に開口側から基板２１５をあてがい、差し込むようになっている。本体２１８の側面２１９および端面２２０には、外部から基板２１５の入出力端子２０５〜２０８に配線コネクタを着脱すると共に、リセットスイッチ２１１を操作するための開口部２２２〜２２４が形成されている。
　　　【００８２】
　ケース２１６の蓋２２５は、本体２１８に合わせて側面２２６、端面２２７，２２８を折り曲げ成形され、このうち一方の端面２２８が本体２１８の開口を覆うように延長され、他の面２２６，２２７が本体２１８の開口部２２２〜２２４に重ならない高さに形成されている。蓋２２５の端面２２８には、外部から基板２１５の入出力端子２０３，２０４に配線コネクタを着脱するための開口部２２９が形成されている。また、蓋２２５の端面２２８には、基板２１５のグランド面に貼設した両切片２１７に当接する２つの当接片２３０が内側に折り曲げ成形されている。
　　　【００８３】
　本体２１８の側面２１９には４つの嵌合凹部（小孔）２３１が設けられ、蓋２２５の側面２２６には内側に嵌合凹部２３１に嵌まる各嵌合凸部２３２が設けられている。
　　　【００８４】
　基板２１５を本体２１８の開口側から溝２２１に差し込み、その開口側に蓋２２５の端面２２８を合わせながら蓋２２５をかぶせ、蓋２２５の嵌合凸部２３２を本体２１８の嵌合凹部２３１に嵌め合うと、基板２１５がケース２１６内に収納、支持されると共に、ケース２１６が組付けられる。また、この組付けと同時に蓋２２５の端面２２８の当接片２３０が基板２１５のグランド面の切片２１７に所定の押圧力で当接し、基板２１５のグランドがケース２１６に接続される。これにより、基板２１５が導電性のケース２１６によってシールドされる。
　　　【００８５】
　この制御装置２００は、図１のように基盤２の裏面に配設されるが、この場合基盤２側に２組の弾性掛止部材（図示しない）が設けられ、その弾性掛止部材の間にケース２１６を押し込むことで、ケース本体２１８の突起２３３つまり溝２２１の加工による外面側の突起２３３が掛止され、取付けられる。
　　　【００８６】
　そして、この制御装置２００のケース２１６の蓋２２５の表面に、前記誘導樋４１の導電性プレート５９ａ，５９ｂにつながる配線部材６２がネジ２３４を介して締結、接続される（図５参照）。なお、制御装置２００の基板２１５は制御装置２００の主電源（２４Ｖ）とグランドを兼ねている。
　　　【００８７】
　このように制御装置２００は、コンパクトな基板２１５をケース本体２１８の溝２２１に差し入れ、蓋２２５をかぶせて嵌合凸部２３２を嵌合凹部２３１に嵌めることで、基板２１５をケース２１６に的確に収納、支持でき、かつケース２１６を容易に組付けることができる。このため、制御装置２００を小型化、軽量化できると共に、ネジ等の止着部材を必要とせずに制御装置２００を簡単に組立てることができ、組付工程を大幅に削減できる。
　　　【００８８】
　また、制御装置２００の基板２１５は、ケース２１６を組付ければ、蓋２２５の端面２２８の当接片２３０が基板２１５のグランド面の切片２１７に所定の押圧力で当接するので、接続にネジ、アース線等を用いずとも、基板２１５を収納する導電性のケース２１６にてシールドすることができる。このため、導電性のケース２１６全体にて基板２１５を簡単にシールドすることができ、このシールドによって外部からのノイズがケース２１６を透過して基板２１５のＩＣ部品等に影響を及ぼすことを確実に防止できる。
　　　【００８９】
　また、この制御装置２００は基盤２の裏面に配設されるが、小型のため、取付け位置の設定が容易であり、基盤２を設計する上での自由度が高まる。なお、基盤２への取付け、取外しは、ケース本体２１８の溝２２１の裏側の突起２３３を利用することで、簡単に行うことができる。
　　　【００９０】
　この一方、図１８〜図２０の遊技盤１のように大当たり遊技が可能なものにあっては、多量の入賞球に対し賞球排出を短時間のうちに行うため、賞球排出系各部と流動するパチンコ球との摩擦により静電気が大量に発生してパチンコ球が帯電してしまうが、この静電気は賞球排出装置１６の誘導樋４１から導電性プレート５９ａ，５９ｂ、配線部材６２、減衰器６１、制御装置２００のケース２１６、基板２１５のグランドを介して吸収、放出される。
　　　【００９１】
　即ち、賞品球の貯留タンク４０に続く誘導樋４１の通路底面に導電性プレート５９ａ，５９ｂを設け、導電性プレート５９ａ，５９ｂを抵抗器等の減衰器６１を介して制御装置２００のケース２１６に接続し、かつケース２１６を基板２１５のグランドに接続したので、誘導樋４１をパチンコ球が流下する際に、静電気は導電性プレート５９ａ，５９ｂから減衰器６１に導かれてエネルギを減衰され、さらに制御装置２００のケース２１６、基板２１５のグランドを介して制御装置２００の主電源側から外部に放出されるのである。
　　　【００９２】
　このため、パチンコ球が賞球系のセンサ（排出センサ、セーフセンサ等）や遊技盤１側のセンサ（始動スイッチ、サイクルスイッチ、カウントスイッチ等）を通過する際に、パチンコ球から静電気の放電によってセンサが破壊されたり、センサが誤動作することを確実に防止できる。また、導電性プレート５９ａ，５９ｂに放出された静電気は減衰器６１により減衰されるため、静電気のノイズにより制御装置２００の基板２１５に悪影響を及ぼすことはない。
　　　【００９３】
　また、導電性プレート５９ａ，５９ｂを基盤２のフレーム側に接続して静電気をフレームに吸収させ自然放電させる方式だと、静電気の量が多い場合等には大地アースを接続しなければならないが、このように制御装置２００の主電源側から放出するため、静電気を確実に逃がすことができ、高い信頼度が得られる。
　　　【００９４】
　また、このように制御装置２００の主電源側から放出するため、静電気を遊技盤１側の制御装置側から放出する場合のように、制御装置の構造によってノイズを吸収する性能が異なったり、遊技盤１を入れ替える毎に導電性プレート５９ａ，５９ｂの接続を行わなければならないといった不具合はない。
　　　【００９５】
　次に制御装置２００による制御内容を図２１〜図４３（Ａ）〜（Ｃ）のフローチャートに基づいて説明する。
　　　【００９６】
　図２１はメインフローを示すもので、電源投入時の“初期化処理”、各センサ等の監視を行う“バックグランドジョブ”、“球抜き処理”、賞球排出処理”、および“排出不正処理”等からなる。
　　　【００９７】
　初期化処理では、図２２のようにスタックポインタがセットされ、ＣＰＵ２０１の入出力ポートが初期化され、各デバイスへの出力がオフ状態にされた後、ＲＡＭがクリアされ、不正監視用球数か図２３にて排出１側，２側の不正監視用カウンタにセットされる。
　　　【００９８】
　この処理時に、賞球数設定回路２１２により設定されているセーフＩ側の賞球数とセーフＩＩ側の賞球数が読み込まれ、ＲＡＭ内に格納される。また、この処理後、定期的にセーフＩ側の賞球数とセーフＩＩ側の賞球数が読み込まれ、ＲＡＭ内に再書き込みされる。
　　　【００９９】
　セーフＩ側とセーフＩＩ側の賞球数は、賞球数設定回路２１２の抵抗２１３ａ，２１３ｂ，２１４ａ〜２１４ｂの抵抗値の組み合わせを選択することで、自由にかつ簡単に選定でき、このため遊技盤１の機種に合った賞球数に設定することが可能である。また、賞球数設定回路２１２の賞球数をＲＡＭ内に定期的に再書き込みするので、パチンコ台内部の熱や静電気等のノイズ、ノイズは前述のように吸収ならびにシールドされるので影響は少ないが、これらによりＲＡＭ内に記憶した賞球数のデータが破壊されることがあっても、すぐに賞球数をＲＡＭ内に再設定することができる。このため、ＲＡＭ内の賞球数の記憶値をもとに賞球排出を行う際に、賞球数をミスすることはなく、高い信頼性が確保される。
　　　【０１００】
　なお、この例では賞球数の設定を制御装置２００側で行っているが、後述する遊技盤１の制御装置側で設定し、制御装置２００側へ送るようにしてもよい。
　　　【０１０１】
　図２４はバックグランドジョブを示すもので、一定周期で実行される“タイマ監視”、“セーフセンサ監視”、“排出センサ１監視”、“排出センサ２監視”、“球抜きセンサ監視”、“セーフＩＩ信号処理”からなる。実行周期は図２５にて、タイマは図２６、図２７にて更新、監視される。
　　　【０１０２】
　セーフセンサ監視は、入賞球処理装置１５の調流樋１８の調流部２９に設けられるストッパ機構２０の２つの球阻止部の間にてセーフセンサによるパチンコ球（入賞球）の有無を精度良く検出するもので、図２８のようにセーフセンサの信号を読込み、一走時間での信号の状態によりパチンコ球の検出を行う。セーフセンサの信号がオフからオンに変わると、オンのまま１０ｍ秒経過したときに球有りと判定する。セーフセンサの信号がオフに変わると、オフが４ｍ秒経過したときに球無しと判定する。
　　　【０１０３】
　このセーフセンサの処理では、セーフセンサの信号の変化が一時的であればノイズと見なして無効とする。調流樋１８の調流部２９に入った入賞球はストッパ機構２０により一旦流下を阻止されるため、セーフセンサによる球有りの検出時間は１０ｍ秒で十分である。これにより、入賞球の有無を正確に検出することができる。
　　　【０１０４】
　排出センサ１，２監視は、排出機構４２ａ（排出１側），４２ｂ（排出２側）の調流樋７２ａ，７２ｂの調流部８５を流下中のパチンコ球（賞品球）を排出ストッパ機構７３ａ，７３ｂの上流の排出センサ１，２にて精度良く検出するためのもので、それぞれ図２９、図３０、図３１のように排出センサ１，２の前回の信号と今回の信号とにより検出（立上り検出）を行う。即ち、排出センサ１，２の信号がオフからオン（前回）に変わると、今回の排出センサ１，２の信号がオンであれば球有り、つまりパチンコ球が排出センサ１，２内に入ったと判定する。排出センサ１，２の信号がオフ（前回）に変わったときは、今回の排出センサ１，２の信号がオフであれば球無し、つまりパチンコ球が排出センサ１，２内に無いと判定する。
　　　【０１０５】
　図４４（Ａ），（Ｂ）に排出センサ１，２の処理の例を示すと、フレーム２あるいは１０の場合は、センサの信号がオフからオンに変わった後、再びオフとなるので、その信号オンをノイズと見なして無効とする。フレーム５あるいは１３の場合は、センサの信号がオフからオンに変わった後、信号が今回もオンとなるので、今回の信号入力時に球有り（立上り）と判定する。フレーム６，７の場合は、球有りを判定済である。また、フレーム９の場合は、センサの信号がオンからオフに変わった後、信号が今回もオフとなるので、今回の信号入力時に球無し（立下り）と判定する。この排出センサ１，２の処理により、調流樋７２ａ，７２ｂの調流部８５を流下中の賞品球を正確に検出でき、流下中の賞品球を計数できる。
　　　【０１０６】
　また、排出センサ１、２監視にて、立上りの判定時に排出１側，２側のカウンタを−１する。なお、排出ストッパ機構７３ａ，７３ｂによりパチンコ球の流下を阻止している状態において、排出センサ１，２は先頭に続く２番目のパチンコ球を検出する。
　　　【０１０７】
　球抜きセンサ監視は、基盤２の前面の操作孔より挿入された器具の操作により球抜きセンサがオンしたか否かを検出するためのもので、図３２のように球抜きセンサの信号がオフからオン（前回）に変わると、今回の球抜きセンサの信号がオンであれば球抜きセンサのオンを判定する。球抜きセンサの信号がオフのときは、今回の球抜きセンサの信号がオフであれば球抜きセンサのオフを判定する。
　　　【０１０８】
　このように、入賞球、排出１側，２側の賞品球、球抜きセンサのオンを正確に検出できる。即ち、セーフセンサの信号の一定時間の状態から入賞球を、また排出センサ１，２、球抜きセンサは前回の信号と今回の信号との比較により賞品球、センサオンを検出するので、センサ信号とノイズとを識別することができ、誤信号による制御装置２００の誤動作を確実に防止できる。また、これにより例えば電子ライタ等によってパチンコ機の金枠等の金属部分に放電し、ノイズを発生させることで賞球排出装置１６等を誤動作させるといった不正行為等をも確実に防止できる。
　　　【０１０９】
　セーフＩＩ信号処理は、遊技盤１の特定入賞口３０４，３０５ａ，３０５ｂに打球の入賞があったときに、遊技盤１の制御装置からのセーフＩＩ信号に基づきその入賞球数を記憶し、セーフＩＩ側の賞球数の選出を行う。
　　　【０１１０】
　ここで、遊技盤１の制御装置の動作を述べると、図４５（Ａ），（Ｂ）のように特定入賞口３０４，３０５ａ，３０５ｂに入賞があると、その入賞数を記憶すると共に、その記憶に応じ制御装置２００からのコール信号に同期してセーフＩＩ信号を３００ｍ秒間出力する。この出力後、入賞記憶数を−１する。
　　　【０１１１】
　一方、制御装置２００は図３３（Ａ），（Ｂ）、図３４のように、処理のタイミングを合わせるために５０ｍ秒毎にコール信号を出力すると共に、遊技盤１の制御装置からセーフＩＩ信号を受けると、その信号が１０ｍ秒間継続したときに、セーフＩＩ入球有りと判定する。そして、セーフＩＩ入球有りを判定したときは、３２０ｍ秒間コール信号を出力し、セーフＩＩ入球数を記憶するセーフＩＩカウンタを＋１する。この後、１７０ｍ秒間コール信号をオフし、再び５０ｍ秒毎にコール信号を出力する。なお、次のセーフＩＩ信号は、３２０ｍ秒間コール信号を出力してから１７０ｍ秒間のオフ後まで受け付けない。
　　　【０１１２】
　図４６にセーフＩＩ信号処理のタイミングチャートを示す。このようにコール信号を用いることで、信号の授受を的確に行うことができ、制御が正確かつ容易になる。なお、遊技盤１の制御装置の中断中は、制御装置からのレディ信号が“Ｈ”に変わり、セーフＩＩ信号処理は行わない。
　　　【０１１３】
　そして、セーフセンサ監視にて、入賞球有りを検出すると賞球排出処理に入る。賞球排出処理は、図３５のように賞球排出条件の確認後、セーフＩＩ入球無しの場合はセーフＩ側の賞球数を、セーフＩＩ入球有りの場合はセーフＩＩ側の賞球数をセットし、セットした賞球数の賞球排出を行うと共に、この排出後入賞球を排出する。
　　　【０１１４】
　賞球排出条件は、図３６のように前回の排出処理終了から４００ｍ秒（排出ウエイトタイマ）経過し、入賞球が有り、排出センサ１，２が球有り状態を５０ｍ秒間継続したときに成立する。即ち、前回の排出処理中になく、入賞球の排出中になく、入賞球が有り、排出機構４２ａ，４２ｂの調流樋７２ａ，７２ｂ内に賞品球が有り、エラー中になければ排出開始ＯＫである。
　　　【０１１５】
　賞球数セットは、図３７、図３８（Ａ），（Ｂ）にて賞球数に合った排出方法を選出し、賞球排出を開始する。即ち、セーフＩ側の賞球数（１０〜１５個）の場合、ならびにセーフＩＩ側の場合でも賞球数が９個以上のときは、賞球数を分割（ほぼ半分ずつ）し、分割した賞球数を排出１側、２側のカウンタにセットして、両排出機構４２ａ，４２ｂからの併用排出を行う。セーフＩＩ側の場合に賞球数が８個以下のときは、その賞球数を排出１側、２側のカウンタに交互にセットして、排出機構４２ａ，４２ｂからの交互排出を行う。また、賞球数が１個のときは、同じく１個排出を行う。この際、対応する排出Ｓｏｌ１，２がオンされる。なお、併用排出、交互排出の場合、カウンタのセット値は予め−１した値がセットされる。
　　　【０１１６】
　賞球排出が開始されると、排出センサ１，２監視にて流下する賞品球の立上りを検出する毎に排出１側，２側のカウンタが−１されると共に、図３９、図４０のように排出１側，２側のカウンタが“０”になると、排出機構４２ａ，４２ｂ側の賞球排出が終了となり、対応する排出Ｓｏｌ１，２がオフされる。この場合、賞球排出開始から３秒経過しても排出１側，２側のカウンタが“０”にならないときは、排出Ｓｏｌ１，２をオフした後、排出エラー処理に入る（後述する）。
　　　【０１１７】
　ここで、１個排出、交互排出、併用排出を説明する。
　　　【０１１８】
　１個排出（賞球数“１”）は、排出機構４２ａ，４２ｂのいずれかより選択的に賞品球１個を排出するもので、図４７のタイミングチャートを示すように、排出開始ＯＫで、排出機構４２ａ，４２ｂの一方の排出Ｓｏｌ１をオンし、３５ｍ秒後にその排出Ｓｏｌ１をオフする。次に１個排出を行う場合、再び排出開始ＯＫで、排出機構４２ａ，４２ｂの他方の排出Ｓｏｌ２をオンし、３５ｍ秒後にその排出Ｓｏｌ２をオフする。なお、排出Ｓｏｌ１，２のオン、オフに応じて排出センサ１，２は一旦オフとなった後、オンとなる。
　　　【０１１９】
　排出Ｓｏｌ１または２をオンすると、排出ストッパ機構７３ａまたは７３ｂの係止爪９１ａまたは９１ｂが対応する調流部８５内から後退して係止爪９１ａまたは９１ｂにより流下を阻止されていたパチンコ球が解放され、この解放により対応する調流部８５内の先頭の球１個が賞球排出樋４３へ落下し、続いて２番目以降の球が流下を始めるものの、３５ｍ秒後にその排出Ｓｏｌ１または２をオフすると、２番目の球が流下を始めた直後に係止爪９１ａまたは９１ｂが対応する調流部８５内に進入し、２番目以降の球が係止爪９１ａまたは９１ｂにより流下を阻止される（図１２（Ａ），（Ｂ）参照）。これにより賞品球１個が排出される。
　　　【０１２０】
　１個排出の場合、排出Ｓｏｌ１，２（選択した側）をオンした後、排出センサ１，２の立上りの検出により排出Ｓｏｌ１，２をオフしたのでは、排出センサ１，２の検出位置（流下を阻止された状態で先頭に続く２番目の球を検出）に関係して球２個が排出されてしまうため、１個の排出は無理であり、また排出センサ１，２の立下りを検出して排出Ｓｏｌ１，２をオフした場合、調流部８５の傾斜を緩くして球の流下速度を遅くしないと、排出Ｓｏｌ１，２のオフが遅れるため、やはり１個の排出は無理であるが、このように排出Ｓｏｌ１，２を規定時間オンすることで、即ち時間制御とすることで賞品球１個を適確に排出することができる。なお、調流部８５の傾斜を緩くして球の流下速度を遅くすると、賞球数の多い交互排出や併用排出での排出時間および処理時間が長くなってしまうため、不適である。
　　　【０１２１】
　交互排出（賞球数“２”〜“８”）は、賞球数の“２”〜“８”に該当する賞品球を排出機構４２ａ，４２ｂのいずれかより選択的に排出するもので、図４８のタイミングチャートに示すように（賞球数が３個の場合）、排出開始ＯＫで、排出機構４２ａ，４２ｂの一方の排出Ｓｏｌ１をオンし、このオンにより係止爪９１ａが後退して対応する調流部８５からパチンコ球が流下を始め、これに伴い排出センサ１が流下するパチンコ球の立上りを検出し、その立上りを所定回数（賞球数−１）検出すると、排出Ｓｏｌ１をオフする。また、次に交互排出を行う場合、再び排出開始ＯＫで、排出機構４２ａ，４２ｂの他方の排出Ｓｏｌ２をオンし、同様に対応する調流部８５からパチンコ球が流下を始め、排出センサ２が流下するパチンコ球の立上りを検出し、その立上りを所定回数（賞球数−１）検出すると、排出Ｓｏｌ２をオフする。
　　　【０１２２】
　即ち、排出Ｓｏｌ１または２のオンにより、係止爪９１ａまたは９１ｂが後退して対応する調流部８５から先頭のパチンコ球が、続いて調流部８５上流および誘導部８４側から後続球が流下を始め、これらの球は先頭の球から順に賞球排出樋４３へ落下すると共に、これに伴い当該排出センサ１または２によるパチンコ球の立上り検出から流下するパチンコ球をカウントする。この際、排出センサ１，２の位置により調流部８５の先頭の球および２番目の球はカウントされず、３番目の球からカウントされる。そして、パチンコ球を該当排出１側または２側のカウンタのセット値分カウントし、当該排出Ｓｏｌ１または２をオフすると、前回カウントされた球は対応する係止爪９１ａまたは９１ｂが調流部８５内に進入する前に賞球排出樋４３へ落下し、現カウント時の球およびその後続球は調流部８５内に進入した対応する係止爪９１ａまたは９１ｂにより流下を阻止される（図１２（Ａ），（Ｂ）参照）。これにより、先頭の球および２番目の球と合わせ、カウント数に＋１した数の賞品球が排出される。図４８の場合にはカウント数が２で３個の賞品球が排出される。
　　　【０１２３】
　このように、交互排出では賞球数から−１した数のパチンコ球をカウントして排出Ｓｏｌをオフすることで、賞球数に該当する賞品球を適確に排出することができる。なお、排出Ｓｏｌ１，２（選択した側）のオン中、調流部８５の先頭の球と２番目の球はほぼ接しながら調流部８５を流下し、誘導部８４からの３番目以降の球は略４５度の角度で調流部８５が続くため、方向を変えつつ前方の球と漸次離間して調流部８５を流下し、さらに垂直部８３からの後続球は誘導部８４の上壁８９により速度、間隔を調整されるため、それぞれ所定の離間距離で調流部８５を流下する。このため、排出Ｓｏｌ１，２をオフした際、賞球数が多いときほど係止爪９１ａ，９１ｂの調流部８５内への進入は容易になるものの、賞球数が２個の場合でも係止爪９１ａ，９１ｂの進入は容易である。
　　　【０１２４】
　また、１個排出ならびに交互排出は、処理に入る毎に２系統の排出機構４２ａ，４２ｂのいずれかより賞品球の排出を行うかを選択している。即ち、入賞球に応じて１個排出が連続して行われる場合、例えば初めの入賞に対しては排出機構４２ａ側にて排出が行われ、次の入賞に対しては排出機構４２ｂ側にて排出が行われる（図４７参照）。同様に交互排出が連続して行われる場合、例えば初めの入賞に対しては排出機構４２ａ側にて排出が行われ、次の入賞に対しては排出機構４２ｂ側にて排出が行われる（図４８参照）。また、１個排出と交互排出とが連続する場合、例えばまず１個排出が排出機構４２ａ側にて行われると、次の交互排出が排出機構４２ｂ側にて行われる。このように、２系統の排出機構４２ａ，４２ｂを交互に使用して賞品球の排出を行うため、誘導樋４１内等で球の流れが偏って球詰まり等を生じるといったことを防止でき、賞品球のスムーズな排出を保てる。なお、賞球数の設定によって１個排出あるいは交互排出のどちらか一方のみを使用する場合でも、もちろん排出機構４２ａ，４２ｂは交互に使用される。
　　　【０１２５】
　併用排出（賞球数“９”以上）は、賞球数の“９”〜“１５”に該当する賞品球を両排出機構４２ａ，４２ｂから排出するもので、図４９のタイミングチャートに示すように（賞球数が１０個の場合と１５個の場合）、排出開始ＯＫで、両排出機構４２ａ，４２ｂの排出Ｓｏｌ１，２をオンし、これらのオンにより係止爪９１ａ，９１ｂが後退して両調流部８５からパチンコ球が流下を始め、これに伴い排出センサ１，２が流下するパチンコ球の立上りを検出する。そして、排出センサ１，２がそれぞれ立上りを所定回数（分割した賞球数−１）検出すると、この場合賞球数が１０個のときは、排出１側カウンタのセット値＝４により排出センサ１が４回、排出２側カウンタのセット値＝４により排出センサ２が４回立上りを検出すると、それぞれ該当排出Ｓｏｌ１，２をオフする。また、賞球数が１５個のときは、排出１側カウンタのセット値＝７により排出センサ１が７回、排出２側カウンタのセット値＝６により排出センサ２が６回立上りを検出すると、それぞれ該当排出Ｓｏｌ１，２をオフする。
　　　【０１２６】
　即ち、両排出Ｓｏｌ１，２のオンにより、係止爪９１ａ，９１ｂが後退してそれぞれ調流部８５から先頭のパチンコ球が、続いてこれらの後続球が流下を始め、これらの球は先頭の球から順に賞球排出樋４３へ落下するが、これに伴い排出センサ１，２によるパチンコ球の立上り検出からそれぞれ調流部８５を流下するパチンコ球を、対応する排出１側，２側カウンタのセット値分カウントし、それぞれ該当排出Ｓｏｌ１，２をオフすることで、排出機構４２ａ側の調流部８５から排出１側カウンタのセット値に＋１した数の賞品球が排出され、排出機構４２ｂ側の調流部８５から排出２側カウンタのセット値に＋１した数の賞品球が排出される。この際、排出センサ１，２の位置によりそれぞれ調流部８１の先頭の球および２番目の球はカウントされず、３番目の球からカウントされ、またそれぞれ最終カウント時の球およびその後続球は排出Ｓｏｌ１，２のオフにより流下を阻止される。これにより、図４９のように賞球数が１０個のときは両排出機構４２ａ，４２ｂの調流部８５からそれぞれ５個の賞品球が排出され、賞球数が１５個のときは排出機構４２ａの調流部８５から８個の賞品球が、排出機構４２ｂの調流部８５から７個の賞品球が排出される。
　　　【０１２７】
　このように、併用排出では賞球数を分割かつ分割後の賞球数からそれぞれ−１した数だけパチンコ球をカウントして排出Ｓｏｌ１，２をオフすることで、賞球数に該当する賞品球を適確に排出することができる。また、併用排出は、賞球数が多いときに両排出機構４２ａ，４２ｂを使用して賞品球を排出するため、排出時間を短縮できる。なお、併用排出の場合、誘導部８４上流の垂直部８３以降からの球が調流部８５を流下し、球の間隔が大きいときに排出Ｓｏｌ１，２をオフするため、もちろん係止爪９１ａ，９１ｂの調流部８５内への進入は容易である。
　　　【０１２８】
　ところで、これらの排出処理中に球詰まりが発生した場合、規定数の賞品球が排出されないことがある。このため、図３９にて排出開始から該当する排出１側，２側のカウンタの値が“０”になる前に３秒（排出監視タイマ）経過したときは、球詰まりによる排出エラーを判定して排出Ｓｏｌ１，２をオフする。
　　　【０１２９】
　即ち、所定時間の経過時の該当排出１側，２側のカウンタの値から球詰まりによる排出エラーを適確に検知することができ、この場合排出Ｓｏｌ１，２をオフ状態に保持したまま球詰まりを直すことになる。
　　　【０１３０】
　一方、球詰まりが発生した場合に、該当排出１側，２側のカウンタの値が“１”のときは、最終のパチンコ球がカウントされないが、その１つ前のパチンコ球まで排出されるため、この場合は規定数の賞品球が排出されることになる。
　　　【０１３１】
　そして、球詰まりの修正を終えると、排出センサ１，２が球有り状態を３秒間継続したときに排出エラーからの復帰となる。この復帰後、エラー前の賞球数を該当排出１側，２側カウンタに再セットし、再び排出処理に入る。該当排出１側，２側カウンタの値が“１”の場合は、規定数の賞品球の排出となるので、排出処理は終了する。
　　　【０１３２】
　図５０に排出エラーおよび復帰後のタイミングチャートを示すと（併用排出による賞球数が１０個の場合）、排出Ｓｏｌ１，２のオンと同時に排出監視タイマ（３秒）がスタートし、例えば排出センサ２側にてパチンコ球を規定数カウントすると排出Ｓｏｌ２はオフされるが、排出センサ１側にてパチンコ球を規定数カウントする前に排出監視タイマがタイムアップすると、排出エラーと判定してタイムアップと同時に排出Ｓｏｌ１がオフされ、復旧待ちとなる。そして、復旧が済めば、該当センサ１が排出監視タイマ（３秒）の期間オン状態を継続したときに排出開始条件が判定され、ＯＫであれば前回規定数の賞品球が排出されていない場合、再度同じ賞球数にて排出処理を行う。特に、このようにエラーを生じたとしても復旧後再度同じ賞球数にて排出処理を行うことで、入賞に対し必ず所定の賞品球が排出されることになり、このため賞球による遊技者とのトラブルを防止できる。
　　　【０１３３】
　なお、賞球排出中にないときに、排出Ｓｏｌ１や２の故障等により係止爪９１ａや９１ｂが調流部８５から後退したままの状態となって賞品球が排出されてしまう場合、不正監視用カウンタによるエラー処理が行われる（後述する）。
　　　【０１３４】
　そして、排出処理を終了すると、図４１にてストッパ機構２０のセーフＳｏｌがオンされる。同時に排出ウエイトタイマ（４００ｍ秒）、セーフ球排出監視タイマ（２００ｍ秒）をセットする。このセーフＳｏｌのオンにより、調流樋１８の調流部２９内の入賞球が排出され、セーフセンサが球無しを判定すると，図４２にて１００ｍ秒後にセーフＳｏｌがオフされ入賞球排出が終了となる。賞球排出がセーフＩＩ側の賞球による場合は、終了に伴いセーフＩＩカウンタを−１する。
　　　【０１３５】
　図５１にセーフ球排出処理のタイミングチャートを示すと、賞球排出処理の終了と同時にストッパ機構２０のセーフＳｏｌがオンされ、このオンにより係止爪３３が後退して対応する調流部２９から入賞球が解放され導出樋１９へ排出されると、入賞球の排出をセーフセンサが４ｍ秒間オフ状態となることで確認し、その１００ｍ秒後にセーフＳｏｌがオフされる。
　　　【０１３６】
　セーフ球排出は賞球排出処理の終了により行うため、賞球排出処理時に前述したエラー等によって所定の賞品球が排出されなかった場合、対応する係止爪３３により入賞球は流下を阻止されたままの状態となり、導出樋１９側に排出されることはない。また、セーフＳｏｌのオンにより係止爪３３が後退する一方、上流側の係止爪３４が調流部２９内に進入し、セーフＳｏｌをオフすると係止爪３４が後退する一方、係止爪３３が調流部２９内に進入する（図３（Ａ），（Ｂ）参照）。このため、調流部２９内に後続の入賞球が有るときは、後続の入賞球はセーフＳｏｌのオフにより前の入賞球と入れ代わり、係止爪３３にて流下を阻止される。
　　　【０１３７】
　このようにセーフ球排出を行うが、セーフＳｏｌのオン後、セーフセンサが入賞球有りのままセーフ球排出監視タイマ（２００ｍ秒）がタイムアップした場合、排出エラーを判定する。
　　　【０１３８】
　この場合、セーフＳｏｌ等の故障により係止爪３３が調流部２９から後退しなくなったときや、セーフセンサがオン状態で故障したとき等に排出エラーとなるが、これらはセーフ球排出監視タイマによる所定時間の経過時のセーフセンサの状態から検知することができる。
　　　【０１３９】
　そして、排出エラーがあると、球抜き樋４５の球抜きＳｏｌがオンされ、セーフセンサが球無しを検出するまで、ストップ状態となる。即ち、球抜きＳｏｌのオンにより賞球系の賞品球は球抜き樋４５から回収され、この状態でセーフＳｏｌやセーフセンサ等の故障箇所の復旧が行われる。復旧後、セーフセンサが球無しを検出すると、図４２にてセーフＳｏｌ、球抜きＳｏｌがオフ状態に戻される。
　　　【０１４０】
　図５２にセーフ球排出エラー処理のタイミングチャートを示すと、セーフＳｏｌをオンと同時にセーフ球排出監視タイマ（２００ｍ秒）をスタートし、そのタイムアップ時までセーフセンサが球無しを検出せずオン状態であれば、排出エラーと判定して球抜きＳｏｌをオンし、復旧待ちとなる。そして、復旧が済みセーフセンサが球無しを検出すれば、セーフＳｏｌならびに球抜きＳｏｌをオフしエラー処理を終了する。
　　　【０１４１】
　即ち、セーフ球排出エラーを適確に検知できると共に、排出エラー時には待機状態となるので、セーフＳｏｌやセーフセンサの故障状態のまま排出処理に入ることを防止でき、誤動作により賞品球が排出されることを確実に防止できる。
　　　【０１４２】
　なお、賞球排出を終了する毎に不正監視用カウンタがセットされ、不正監視が行われる。即ち、賞球排出中以外のときに、排出機構４２ａ，４２ｂから賞品球が排出されてしまう場合、当該排出１側，２側の不正監視用カウンタが賞品球５個をカウントすると、不正エラーを判定し、図２１にて球抜きＳｏｌをオンし、ストップ状態となる。賞球排出中になく、また入賞球がないにもかかわらず、何らかの異常により賞品球が排出されてしまう場合、また賞球排出に続いてそのまま賞品球の排出が行われてしまう場合、またセーフ球排出処理中等に、何らかの異常により賞品球が排出されてしまう場合、不正監視用カウンタのカウント値により不正エラーを判定する。
　　　【０１４３】
　排出の不正には、排出ストッパ機構７３ａや７３ｂの係止爪９１ａや９１ｂが排出Ｓｏｌ１や２の故障等により調流部８５から後退したままの状態となったり、あるいは不正行為により係止爪９１ａや９１ｂが強制的に後退位置に動かされることで、賞品球が排出されてしまう場合があるが、常に賞品球の排出を監視しているので、排出に不正が有った場合に不正を直ちに検知することができる。また、不正を検知すると球抜きＳｏｌをオンするので、賞品球は球抜き樋４５から回収され、賞品球が供給皿側に排出されることを防止できる。
　　　【０１４４】
　そして、この状態にて故障等あるいは不正等に対する復旧が行われ、復旧後リセットスイッチ（図１４、図１５参照）をオンすると、球抜きＳｏｌがオフされ、不正監視処理が終了し、再スタートとなる。
　　　【０１４５】
　図５３に不正監視処理のタイミングチャートを示すと、排出処理中にないとき、例えば排出センサ１により球の移動を検出した場合、球の立上りを検出する毎に排出１側の不正監視カウンタを＋１し、該カウンタが“５”になると同時に球抜きＳｏｌをオンし、復旧待ちとなる。そして、復旧が済み、リセットスイッチをオンすると、該カウンタをクリアし、球抜きＳｏｌをオフし、終了する。
　　　【０１４６】
　このように、排出Ｓｏｌ１，２等の故障や不正行為等による排出の不正を適確に検知できると共に、不正時には球抜きＳｏｌにより賞品球が球抜き樋４５から回収され、排出が直ちに停止され、待機状態となるため、排出Ｓｏｌ１，２等の故障ならびに不正行為の防止に対し充分に対応できる。
　　　【０１４７】
　図４３（Ａ）〜（Ｃ）には球抜き処理を示し、球抜き処理は遊技機の打止め時や遊技店の閉店時および各装置の故障、点検時等に行われる。球抜き処理は入賞球があるときや賞球排出中および各エラー処理中は不可である。
　　　【０１４８】
　基盤２の前面の操作孔よりピン等の器具を挿入して球抜きセンサをオンすると（球抜きセンサ監視による）、球抜きＳｏｌがオンされ、球抜き開始タイマ（１秒）が経過したときに、排出ストッパ機構７３ａ，７３ｂの両排出Ｓｏｌ１，２がオンされる。
　　　【０１４９】
　球抜きＳｏｌのオンにより球抜き樋４５の分岐部に設けた球抜きゲート１１０を開くと共に、球抜きゲート１１０の開途中で球を排出することのないように、球抜き開始タイマ（１秒）の経過後に排出Ｓｏｌ１，２をオンし、調流部８５から係止爪９１ａ，９１ｂを後退させる。これにより、賞球排出装置１６の上タンク４０内の賞品球ならびに誘導樋４１や排出機構４２ａ，４２ｂ内の賞品球が賞球排出樋４３から球抜き樋４５へと流下し、パチンコ機後方の図示しない回収樋に排出、回収される。
　　　【０１５０】
　そして、上タンク４０、誘導樋４１、排出機構４２ａ，４２ｂ内の賞品球が回収樋に排出され、排出センサ１，２がオフすると、排出１，２球無タイマ（３秒）がセットされ、このタイマ経過後に排出Ｓｏｌ１，２をオフし、次いで球抜きＳｏｌをオフする。この際、いったん排出センサ１，２がオフしても、上タンク４０等で流出せずに残っていた球が遅れて流下し排出センサ１，２がオンすることがあれば、該当排出１，２球無タイマが再セットされ、このタイマ経過後に排出Ｓｏｌ１，２、球抜きＳｏｌをオフする。
　　　【０１５１】
　これにより、賞品球がすべて排出、回収されると共に、排出センサ１，２がオフ状態を３秒間継続した後に係止爪９１ａ，９１ｂが調流部８５内に戻り、球抜きゲート１１０が球抜き樋４５の閉位置（賞球排出樋４３は開）に戻り、自動的に終了となる。なお、回収球がないときは、球抜き開始タイマの経過時に自動的に終了となる。
　　　【０１５２】
　図５４に球抜き処理のタイミングチャートを示すと、球抜きセンサのオン検出により球抜きＳｏｌをオンし、この１秒後に排出Ｓｏｌ１，２をオンすることで球抜きが開始される。そして、球抜きが終了すると、排出センサ１，２が３秒間オフとなったときに排出Ｓｏｌ１，２、球抜きＳｏｌをオフし、終了となる。
　　　【０１５３】
　このように、球抜きセンサをオンすれば球抜きを行えると共に、賞品球がすべて排出、回収され排出センサ１，２が３秒間オフすると、排出Ｓｏｌ１，２、球抜きＳｏｌのオフにより係止爪９１ａ，９１ｂ、球抜きゲート１１０がもとの位置に戻り自動終了となるので、球抜き終了時に何らの確認、操作等必要なく、作業が楽である。
　　　【０１５４】
　また、球抜き処理の途中にて球抜きを強制的に中止したい場合には、基盤２の操作孔より再びピン等の器具を挿入して球抜きセンサを再度オンすることにより、球抜きが強制的に終了となる。
　　　【０１５５】
　即ち、球抜きＳｏｌのオン後球抜きセンサをオンすると、図４３（Ｂ）にて強制終了タイマ（１秒）がセットされ、賞品球の回収中にあれば、排出センサ１，２が球の立上りを検出すると同時に該当排出Ｓｏｌ１，２をオフし、また賞品球の回収を終えていれば、強制終了タイマの経過時点で排出Ｓｏｌ１，２をオフする。そして、球抜き終了タイマ（３秒）の経過後に球抜きＳｏｌをオフする。
　　　【０１５６】
　これにより、係止爪９１ａ，９１ｂが調流部８５内に戻り、球抜きゲート１１０が球抜き樋４５の閉位置に戻り、強制終了となる。
　　　【０１５７】
　図５５に球抜き処理の強制終了のタイミングチャートを示すと（排出１側が賞品球回収中、排出２側が回収後の場合）、球抜き処理の途中にて球抜きセンサの再度のオン検出により、排出２側では１秒後に排出Ｓｏｌ２がオフされ、排出１側では排出センサ１が球の立上りを検出した時点で排出Ｓｏｌ１がオフされ、その３秒後に球抜きＳｏｌがオフされる。
　　　【０１５８】
　この強制終了では、賞品球回収中の場合立上りを検出された球および後続球は調流部８５内に戻る係止爪９１ａ，９１ｂにより、難無く流下を阻止される。
　　　【０１５９】
　　【発明の効果】
　以上のように本発明によれば、電気的駆動源の作用により所要数の球を排出可能な球排出装置と、上記球排出装置より排出される球を所定数宛検出するための排出状態検出手段と、所定の球排出指令信号に基づいて上記球排出装置の制御を行う排出制御回路とを備えた遊技機において、上記排出制御回路は、上記球排出装置が作動した際に上記排出状態検出手段から順次受信した各々の検出信号に係わる予め定められた所定のレベル状態を、所定間隔で発生する基準信号に基づいて複数回判定し、その複数回の判定結果が上記所定レベル状態であることを条件に正規な検出信号として確定するようにしたので、ノイズなどの誤信号に影響されることなく賞品球を正確に検出でき、正確な賞品球の排出を的確に行うことができる。
　　　【０１６０】
　さらに、電子ライタなどの高圧パルス発生器を用いてパチンコ機の金属部分に放電することによりノイズを発生させて排出制御回路を誤動作させるという一部の遊技者による不正行為も防止でき、遊技者に対して遊技の公正さを保証することができる。
【図面の簡単な説明】
　　【図１】
　遊技機の一例を示すパチンコ機の分解斜視図。
　　【図２】
　基盤の裏面図。
　　【図３】
　（Ａ），（Ｂ）はストッパ機構の作動説明図。
　　【図４】
　上タンクの斜視図。
　　【図５】
　上タンクと誘導樋部分の正面図。
　　【図６】
　（Ａ），（Ｂ），（Ｃ）は図５の誘導樋部分のＡ−Ａ、Ｂ−Ｂ、Ｃ−Ｃ線断面図。
　　【図７】
　球止め装置の斜視図。
　　【図８】
　（Ａ），（Ｂ）は球止め装置の作動説明図。
　　【図９】
　排出機構の正面図。
　　【図１０】
　排出機構の分解斜視図。
　　【図１１】
　排出機構の突起部分の構造図。
　　【図１２】
　（Ａ），（Ｂ）は排出ストッパ機構の作動説明図。
　　【図１３】
　（Ａ），（Ｂ）は球抜き部分の分解斜視図と部分分解図。
　　【図１４】
　制御装置の回路構成図。
　　【図１５】
　制御装置の斜視図。
　　【図１６】
　制御装置の表側からの分解斜視図。
　　【図１７】
　制御装置の裏側からの分解斜視図。
　　【図１８】
　遊技盤の正面図。
　　【図１９】
　遊技盤の変動入賞装置の斜視図。
　　【図２０】
　遊技盤の裏面図。
　　【図２１】
　制御のメインフローチャート。
　　【図２２】
　初期化処理を示すフローチャート。
　　【図２３】
　初期化処理を示すフローチャート。
　　【図２４】
　バックグランドジョブを示すフローチャート。
　　【図２５】
　バックグランドジョブを示すフローチャート。
　　【図２６】
　バックグランドジョブを示すフローチャート。
　　【図２７】
　バックグランドジョブを示すフローチャート。
　　【図２８】
　セーフＩＩ信号処理を示すフローチャート。
　　【図２９】
　セーフＩＩ信号処理を示すフローチャート。
　　【図３０】
　セーフＩＩ信号処理を示すフローチャート。
　　【図３１】
　セーフＩＩ信号処理を示すフローチャート。
　　【図３２】
　セーフＩＩ信号処理を示すフローチャート。
　　【図３３】
　（Ａ），（Ｂ）はセーフＩＩ信号処理を示すフローチャート。
　　【図３４】
　セーフＩＩ信号処理を示すフローチャート。
　　【図３５】
　賞球排出処理を示すフローチャート。
　　【図３６】
　賞球排出処理を示すフローチャート。
　　【図３７】
　賞球排出処理を示すフローチャート。
　　【図３８】
　（Ａ），（Ｂ）は賞球排出処理を示すフローチャート。
　　【図３９】
　賞球排出処理を示すフローチャート。
　　【図４０】
　賞球排出処理を示すフローチャート。
　　【図４１】
　セーフ球排出処理を示すフローチャート。
　　【図４２】
　セーフ球排出処理を示すフローチャート。
　　【図４３】
　（Ａ），（Ｂ），（Ｃ）は球抜き処理のフローチャート。
　　【図４４】
　（Ａ），（Ｂ）はセンサ入力処理の特性図と表図。
　　【図４５】
　（Ａ），（Ｂ）は制御内容のフローチャート。
　　【図４６】
　制御動作のタイミングーチャート。
　　【図４７】
　制御動作のタイミングーチャート。
　　【図４８】
　制御動作のタイミングーチャート。
　　【図４９】
　制御動作のタイミングーチャート。
　　【図５０】
　制御動作のタイミングーチャート。
　　【図５１】
　制御動作のタイミングーチャート。
　　【図５２】
　制御動作のタイミングーチャート。
　　【図５３】
　制御動作のタイミングーチャート。
　　【図５４】
　制御動作のタイミングーチャート。
　　【図５５】
　制御動作のタイミングーチャート。
　　【符号の説明】
　　　２　基盤
　　　３　フレーム
　　１０　集合樋
　　１４　打球発射装置
　　１５　入賞球処理装置
　　１６　賞球排出装置
　　１７　案内樋
　　１８　調流樋
　　２０　ストッパ機構
　　２１　セーフセンサ
　　３３，３４　係止爪
　　３５　セーフソレノイド
　　４０　上タンク
　　４１　誘導樋
　　４２ａ，４２ｂ　排出機構
　　４３　賞球排出樋
　　４５　球抜き樋
　　５７ａ，５７ｂ　通路
　　５８　分流壁
　　５９ａ，５９ｂ　導電性プレート
　　６１　減衰器
　　６２　配線部材
　　６３　球止め装置
　　７１ａ，７１ｂ　流入樋
　　７２ａ，７２ｂ　調流樋
　　７３ａ，７３ｂ　排出ストッパ機構
　　７４ａ，７４ｂ　排出センサ
　　７５　ユニットケース
　　７６　中央基枠
　　７９，８１　傾斜部
　　８０，８２　屈曲部
　　８３　垂直部
　　８４　誘導部
　　８５　調流部
　　８６　落下部
　　９０ａ，９０ｂ　突起部
　　９１ａ，９１ｂ　係止爪
　　９２ａ，９２ｂ　排出ソレノイド
　　９７　収納部
　　９９，１０３　凹部
　　１０１　切り欠き部
　　１１０　球抜きゲート
　　１１６　球抜きソレノイド
　　２００　制御装置
　　２０１　ＣＰＵ
　　２０３〜２０８　入力端子
　　２１１　リセットスイッチ
　　２１２　賞球数設定回路
　　２１５　基板
　　２１６　ケース
　　２１７　切片
　　２１８　本体
　　２２１　溝
　　２２２〜２２４，２２９　開口部
　　２２５　蓋
　　２３０　当接片
　　２３１　嵌合凹部
　　２３２　嵌合凸部